(57)【特許請求の範囲】
【請求項１】
式Ｉで表される化合物の使用であって、
【化１】
0006732008.tif 000167
（ただし、Ｒは、置換または無置換のＣ１〜Ｃ６のアルキル基、置換または無置換のＣ６〜Ｃ２０のアリール基、置換または無置換の３〜２０員のヘテロアリール基、置換または無置換のＣ７〜Ｃ２５のアルキル基−アリール基、置換または無置換のＣ１〜Ｃ５アルキル基−３〜２０員のヘテロアリール基、置換または無置換のＣ３〜Ｃ２０のシクロアルキル基、あるいは置換または無置換の３〜２０員の複素環基からなる群から選ばれる；ここで、前記のヘテロアリール基または複素環基にＮ、ＯまたはＳからなる群から選ばれるヘテロ原子が１〜５個含まれる；前記のシクロアルキル基または複素環基は単環、多環、スピロ環または橋架け環の構造でもよい；
Ｒａは、
（ａ）ＯＲ’（ここで、前記のＲ’は置換または無置換のＣ１〜Ｃ６のアルキル基からなる群から選ばれる）、あるいは
（ｂ）Ｎ（Ｒ’’）２（ここで、各Ｒ’’は、それぞれ独立にＨ、置換または無置換のＣ６〜Ｃ２０のアリール基、置換または無置換の３〜２０員のヘテロアリール基、置換または無置換のＣ７〜Ｃ２５のアルキル基−アリール基、置換または無置換のＣ１〜Ｃ５アルキル基−３〜２０員のヘテロアリール基、置換または無置換のＣ３〜Ｃ２０のシクロアルキル基、あるいは置換または無置換の３〜２０員の複素環基からなる群から選ばれる；ここで、前記のヘテロアリール基または複素環基にＮ、ＯまたはＳからなる群から選ばれるヘテロ原子が１〜５個含まれる；前記のシクロアルキル基または複素環基は単環、多環、スピロ環または橋架け環の構造でもよい；好ましくはＮ（Ｒ’’）２はＮＨＲ’’である）
から選ばれる；
Ｒｂは、Ｈ、Ｃ１〜Ｃ６のアルキル基からなる群から選ばれるか、
あるいはＲｂはＲおよび隣接する窒素原子とともに置換または無置換の３〜２０員のヘテロアリール基、あるいは置換または無置換の３〜２０員の複素環基を構成し、
前記の置換とは、基における一つまたは複数の水素原子がハロゲン、Ｃ１〜Ｃ６アルキル基、ハロゲン置換のＣ１〜Ｃ６アルキル基、Ｃ１〜Ｃ６アルコキシ基、Ｃ６〜Ｃ１０のアリール基、Ｃ６〜Ｃ１０のアリール基−オキシ基、Ｃ２〜Ｃ１０のエステル基（アルキル基−ＣＯＯ−）、Ｃ２〜Ｃ１０のアシル基−アルコキシ基（アルキル基−ＯＯＣ−）、Ｃ２〜Ｃ１０のアシル基（アルキル基−ＣＯ−）、Ｃ２〜Ｃ１０のアミド基（アルキル基／アリール基−ＮＨＣ（Ｏ）−）、−ＣＯＯＨ、ニトロ基、ヒドロキシ基、アミノ基、１個または２個のＣ１〜Ｃ６のアルキル基で置換されたアミノ基からなる群から選ばれる置換基で置換されることをいう；）
式Ｉの化合物は、配位子として銅触媒による、塩化アリール、臭化アリール、ヨウ化アリール、またはこれらの組み合わせからなる群から選ばれるハロゲン化アリールのカップリング反応に使用されることを特徴とする使用。
【請求項２】
前記のＲは置換または無置換のフェニル基、置換または無置換のナフチル基、置換または無置換のベンジル基、置換または無置換のキノリニル基、置換または無置換の
【化２】
0006732008.tif 000168
置換または無置換のアダマンチル基、置換または無置換のＣ１〜Ｃ６アルキル基、置換または無置換の
【化３】
0006732008.tif 000169
からなる群から選ばれるか；
あるいはＲ及びＲｂは、隣接する窒素原子とともに置換または無置換の、
【化４】
0006732008.tif 000170
からなる群から選ばれる基を構成する
ことを特徴とする請求項１に記載の使用。
【請求項３】
前記のＲは置換または無置換のフェニル基、置換または無置換のナフチル基、置換または無置換のベンジル基、Ｃ１〜Ｃ４アルキル基、ピリジル基、アダマンチル基からなる群から選ばれ、
前記のＲａは、
（ａ）ＯＲ’（ここで、前記のＲ’は置換または無置換のＣ１〜Ｃ６のアルキル基からなる群から選ばれる）、あるいは
（ｂ）Ｎ（Ｒ’’）２（ここで、各Ｒ’’は、それぞれ独立にＨ、置換または無置換のＣ６〜Ｃ２０のアリール基、置換または無置換の３〜２０員のヘテロアリール基、置換または無置換のＣ７〜Ｃ２５のアルキル基−アリール基、置換または無置換のＣ１〜Ｃ５のアルキル基−３〜２０員のヘテロアリール基、置換または無置換のＣ３〜Ｃ２０のシクロアルキル基、あるいは置換または無置換の３〜２０員の複素環基からなる群から選ばれる；ここで、前記のヘテロアリール基または複素環基にＮ、ＯまたはＳからなる群から選ばれるヘテロ原子が１〜５個含まれる；前記のシクロアルキル基または複素環基は単環、多環、スピロ環または橋架け環の構造でもよい）
から選ばれる、
ことを特徴とする請求項１に記載の使用。
【請求項４】
ハロゲン化アリールのカップリング反応の方法であって、銅を触媒として、下記の式Ｉで表される化合物を配位子として使用し、前記のカップリング反応を行うことを含み、
【化５】
0006732008.tif 000171
（ただし、Ｒは、置換または無置換のＣ１〜Ｃ６のアルキル基、置換または無置換のＣ６〜Ｃ２０のアリール基、置換または無置換の３〜２０員のヘテロアリール基、置換または無置換のＣ７〜Ｃ２５のアルキル基−アリール基、置換または無置換のＣ１〜Ｃ５アルキル基−３〜２０員のヘテロアリール基、置換または無置換のＣ３〜Ｃ２０のシクロアルキル基、あるいは置換または無置換の３〜２０員の複素環基からなる群から選ばれる；ここで、前記のヘテロアリール基または複素環基にＮ、ＯまたはＳからなる群から選ばれるヘテロ原子が１〜５個含まれる；前記のシクロアルキル基または複素環基は単環、多環、スピロ環または橋架け環の構造でもよい；
Ｒａは、
（ａ）ＯＲ’（ここで、前記のＲ’は置換または無置換のＣ１〜Ｃ６のアルキル基からなる群から選ばれる。）、あるいは
（ｂ）Ｎ（Ｒ’’）２（ここで、各Ｒ’’は、それぞれ独立にＨ、置換または無置換のＣ６〜Ｃ２０のアリール基、置換または無置換の３〜２０員のヘテロアリール基、置換または無置換のＣ７〜Ｃ２５のアルキル基−アリール基、置換または無置換のＣ１〜Ｃ５アルキル基−３〜２０員のヘテロアリール基、置換または無置換のＣ３〜Ｃ２０のシクロアルキル基、あるいは置換または無置換の３〜２０員の複素環基からなる群から選ばれる；ここで、前記のヘテロアリール基または複素環基にＮ、ＯまたはＳからなる群から選ばれるヘテロ原子が１〜５個含まれる；前記のシクロアルキル基または複素環基は単環、多環、スピロ環または橋架け環の構造でもよい）
から選ばれる；
Ｒｂは、Ｈ、Ｃ１〜Ｃ６のアルキル基からなる群から選ばれるか、
あるいはＲｂはＲおよび隣接する窒素原子とともに置換または無置換の３〜２０員のヘテロアリール基、あるいは置換または無置換の３〜２０員の複素環基を構成し、
前記の置換とは、基における一つまたは複数の水素原子がハロゲン、Ｃ１〜Ｃ６アルキル基、ハロゲン置換のＣ１〜Ｃ６アルキル基、Ｃ１〜Ｃ６アルコキシ基、Ｃ６〜Ｃ１０のアリール基、Ｃ６〜Ｃ１０のアリール基−オキシ基、Ｃ２〜Ｃ１０のエステル基（アルキル基−ＣＯＯ−）、Ｃ２〜Ｃ１０のアシル基−アルコキシ基（アルキル基−ＯＯＣ−）、Ｃ２〜Ｃ１０のアシル基（アルキル基−ＣＯ−）、Ｃ２〜Ｃ１０のアミド基（アルキル基／アリール基−ＮＨＣ（Ｏ）−）、−ＣＯＯＨ、ニトロ基、シアノ基、ヒドロキシ基、アミノ基、１個または２個のＣ１〜Ｃ６のアルキル基で置換されたアミノ基からなる群から選ばれる置換基で置換されることをいう）
ここで、前記のハロゲン化アリールは、塩化アリール、臭化アリール、ヨウ化アリール、またはこれらの組み合わせからなる群から選ばれる、
ことを特徴とする方法。
【請求項５】
前記反応では、前記配位子と反応物であるハロゲン化アリールのモル比は１〜５０：１００、好ましくは５〜２０：１００で、および／または
前記配位子と銅触媒のモル比は１〜５：１、好ましくは１〜２：１である、
ことを特徴とする請求項４に記載の方法。
【請求項６】
前記の反応は、
【化６】
0006732008.tif 000172
不活性溶媒中で、
【化７】
0006732008.tif 000173
を用いてカップリング試薬と反応させ、
【化８】
0006732008.tif 000174
化合物を得ることを含み、
ここで、Ｘは、Ｎ、ＯまたはＳからなる群から選ばれ、
Ｙは、Ｃｌ、Ｂｒ、Ｉからなる群から選ばれ、
【化９】
0006732008.tif 000175
は、置換または無置換のＣ６〜Ｃ２０のアリール基、置換または無置換の３〜２０員のヘテロアリール基からなる群から選ばれ、ここで、前記の置換とは、アリール基における一つまたは複数の水素原子がハロゲン、ニトロ基、シアノ基、無置換のアミノ基あるいは１個または２個のＣ１〜Ｃ６のアルキル基またはＣ２〜Ｃ１０のアシル基（アルキル基−ＣＯ−）で置換されたアミノ基、ヒドロキシ基、無置換またはハロゲン置換のＣ１〜Ｃ６アルキル基、Ｃ１〜Ｃ６アルコキシ基、Ｃ６〜Ｃ１０のアリール基、３〜２０員のヘテロアリール基、Ｃ６〜Ｃ１０のアリール基−オキシ基、Ｃ２〜Ｃ１０のエステル基（アルキル基−ＣＯＯ−）、Ｃ２〜Ｃ１０のアシル基（アルキル基−ＣＯ−）、Ｃ２〜Ｃ１０のアシル基−アルコキシ基（アルキル基−ＯＯＣ−）、Ｃ２〜Ｃ１０のアミド基（アルキル基−ＮＨＣ（Ｏ）−、アリール基−ＮＨＣ（Ｏ）−）、−ＣＯＯＨ、ヒドロキシ基−Ｃ１〜Ｃ１０のアルキレン基、ＭｅＳ−、スルフリル基、スルホンアミド基からなる群から選ばれる置換基で置換されることをいい、ここで、前記アリール基における隣接する２つの炭素原子における２つの水素原子は−（ＣＨ２）ｎ−で置換されてもよく（ｎは１、２、３、４、５または６である）、
前記のカップリング試薬は、アンモニア水、アンモニアガス、アンモニウム塩（好ましくは塩化アンモニウム、炭酸アンモニウム、硫酸アンモニウム、リン酸水素アンモニウム、またはこれらの組み合わせ）／水酸化物溶液（好ましくは水酸化カリウム溶液）、
【化１０】
0006732008.tif 000176
（２〜１９個の炭素原子を有し、飽和、部分不飽和または芳香環でもよい）、ＲｃＣ（Ｏ）ＮＨＲ２、Ｒ１ＳＯ２Ｍ（好ましくは、Ｍはナトリウム、カリウムである）、アジ化ナトリウム、ＮＨＲ１Ｒ２、Ｒ１ＯＨ、Ｒ１ＳＨ、水酸化物（好ましくは水酸化リチウム、またはリン酸カリウム、炭酸カリウム、炭酸セシウムと水の混合物）からなる群から選ばれ、
Ｒ１、Ｒ２、Ｒｃは、それぞれ独立にＨ、置換または無置換のＣ１〜Ｃ６のアルキル基、置換または無置換のＣ１〜Ｃ６のアルケニル基、置換または無置換のＣ６〜Ｃ２０のアリール基、置換または無置換の３〜２０員のヘテロアリール基、置換または無置換のＣ７〜Ｃ２５のアルキル基−アリール基、置換または無置換のＣ１〜Ｃ５アルキル基−３〜２０員のヘテロアリール基、置換または無置換のＣ３〜Ｃ２０のシクロアルキル基、置換または無置換のＣ１〜Ｃ５アルキル基−Ｃ３〜２０のシクロアルキル基、置換または無置換の３〜２０員の複素環基あるいは、置換または無置換のＣ１〜Ｃ５アルキル基−３〜２０員の複素環基からなる群から選ばれるか、
あるいはＲ１とＲ２は、隣接する窒素原子とともに置換または無置換の３〜２０員の複素環基、置換または無置換の３〜２０員のヘテロアリール基を構成するか、
あるいはＲｃとＲ２は隣接するＣ（Ｏ）ＮＨとともに置換または無置換の３〜２０員の複素環基、置換または無置換の３〜２０員のヘテロアリール基を構成し、
前記のヘテロアリール基または複素環にＮ、ＯまたはＳからなる群から選ばれるヘテロ原子が１〜５個含まれ、前記のシクロアルキル基または複素環基は単環、多環、スピロ環または橋架け環の構造で、
前記の置換とは、基における一つまたは複数の水素原子がハロゲン、シアノ基、オキソ基（すなわち、基の同一の炭素原子における２つの水素原子が＝Ｏで置換される）、Ｃ１〜Ｃ６アルキル基、ハロゲン置換のＣ１〜Ｃ６アルキル基、Ｃ１〜Ｃ６アルコキシ基、Ｃ６〜Ｃ１０のアリール基、Ｃ６〜Ｃ１０のアリール基−オキシ基、Ｃ２〜Ｃ１０のエステル基（アルキル基−ＣＯＯ−）、Ｃ２〜Ｃ１０のアシル基−アルコキシ基（アルキル基−ＯＯＣ−）、Ｃ２〜Ｃ１０のアシル基（アルキル基−ＣＯ−）、Ｃ２〜Ｃ１０のアミド基（アルキル基／アリール基−ＮＨＣ（Ｏ）−）、−ＣＯＯＨ、ニトロ基、ヒドロキシ基、アミノ基、１個または２個のＣ１〜Ｃ６のアルキル基で置換されたアミノ基、Ｃ１〜Ｃ６アルキル基−Ｓ−からなる群から選ばれる置換基で置換されることをいう、
ことを特徴とする請求項４に記載の方法。
【請求項７】
前記の反応温度は５０〜１８０℃、好ましくは１００〜１３０℃であることを特徴とする請求項４に記載の方法。
【請求項８】
前記の反応は、以下の（１）、（２）、（３）、（４）、（５）、（６）、（７）または（８）
（１）不活性溶媒中で、
【化１１】
0006732008.tif 000177
を用いてＮＨＲ１Ｒ２と反応させ、
【化１２】
0006732008.tif 000178
を得る工程；
【化１３】
0006732008.tif 000179
（ただし、各基の定義は前記の通りである；好ましくは、反応（１）では、前記の反応温度は５０〜１８０℃、好ましくは１００〜１３０℃である）
（２）不活性溶媒中で、
【化１４】
0006732008.tif 000180
を用いてアンモニア源と反応させ、
【化１５】
0006732008.tif 000181
を得る工程；
【化１６】
0006732008.tif 000182
（ただし、各基の定義は前記の通りである；好ましくは、反応（２）では、前記の反応温度は５０〜１８０℃、好ましくは１００〜１３０℃である；
前記のアンモニア源は、アンモニアガス、アンモニア水、塩化アンモニウム、炭酸アンモニウム、炭酸水素アンモニウム、硫酸アンモニウム、硝酸アンモニウム、リン酸アンモニウム、リン酸水素二アンモニウム、アジ化ナトリウム、好ましくはアンモニアガス、アンモニア水、塩化アンモニウムおよびリン酸水素二アンモニウムからなる群から選ばれる）
（３）不活性溶媒中で、
【化１７】
0006732008.tif 000183
を用いてＲ１ＯＨと反応させ、
【化１８】
0006732008.tif 000184
を得る工程；
【化１９】
0006732008.tif 000185
（ただし、各基の定義は前記の通りである；好ましくは、反応（３）では、前記の反応温度は５０〜１８０℃、好ましくは１００〜１３０℃である）
（４）不活性溶媒中で、
【化２０】
0006732008.tif 000186
を用いてＲ１ＳＨと反応させ、
【化２１】
0006732008.tif 000187
を得る工程；
【化２２】
0006732008.tif 000188
（ただし、各基の定義は前記の通りである；好ましくは、反応（４）では、前記の反応温度は５０〜１８０℃、好ましくは１００〜１３０℃である）
（５）不活性溶媒中で、
【化２３】
0006732008.tif 000189
を用いて
【化２４】
0006732008.tif 000190
と反応させ、
【化２５】
0006732008.tif 000191
を得る工程；
【化２６】
0006732008.tif 000192
（ただし、
【化２７】
0006732008.tif 000193
は、置換または無置換のＮ原子を含有する３〜２０員の環で、前記３〜２０員の環は飽和、不飽和または芳香性のもので、ほかの各基の定義は前記の通りである）
（６）不活性溶媒中で、
【化２８】
0006732008.tif 000194
を用いて
【化２９】
0006732008.tif 000195
と反応させ、
【化３０】
0006732008.tif 000196
を得る工程；
【化３１】
0006732008.tif 000197
（ただし、Ｒｃは、Ｈ、置換または無置換のＣ１〜Ｃ６のアルキル基、置換または無置換のＣ６〜Ｃ２０のアリール基、置換または無置換の３〜２０員のヘテロアリール基、置換または無置換のＣ７〜Ｃ２５のアルキル基−アリール基、置換または無置換のＣ１〜Ｃ５アルキル基−３〜２０員のヘテロアリール基、置換または無置換のＣ３〜Ｃ２０のシクロアルキル基、あるいは置換または無置換の３〜２０員の複素環基からなる群から選ばれる；ここで、前記のヘテロアリール基または複素環基にＮ、ＯまたはＳからなる群から選ばれるヘテロ原子が１〜５個含まれる；前記のシクロアルキル基または複素環基は単環、多環、スピロ環または橋架け環の構造でもよく、
あるいはＲｃとＲ２は隣接するＣ（Ｏ）ＮＨとともに置換または無置換の３〜２０員の複素環基、置換または無置換の３〜２０員のヘテロアリール基を構成し、
前記の置換とは、基における一つまたは複数の水素原子がハロゲン、Ｃ１〜Ｃ６アルキル基、Ｃ１〜Ｃ６アルコキシ基、Ｃ６〜Ｃ１０のアリール基、Ｃ６〜Ｃ１０のアリール基−オキシ基、Ｃ２〜Ｃ１０のエステル基（アルキル基−ＣＯＯ−）、Ｃ２〜Ｃ１０のアシル基（アルキル基−ＣＯ−）、Ｃ２〜Ｃ１０のアミド基（アルキル基−ＮＨＣ（Ｏ）−、アリール基−ＮＨＣ（Ｏ）−）、−ＣＯＯＨからなる群から選ばれる置換基で置換されることをいう；
ほかの各基の定義は前記の通りである）
（７）不活性溶媒中で、
【化３２】
0006732008.tif 000198
を用いて
【化３３】
0006732008.tif 000199
と反応させ、
【化３４】
0006732008.tif 000200
を得る工程；
【化３５】
0006732008.tif 000201
（ただし、各基の定義は前記の通りである）
（８）不活性溶媒中で、
【化３６】
0006732008.tif 000202
を用いて水酸化物または塩基の加水分解によるＯＨ−と反応させ、
【化３７】
0006732008.tif 000203
を得る工程；
【化３８】
0006732008.tif 000204
（ただし、各基の定義は前記の通りである）
を含むことを特徴とする請求項４に記載の方法。
【請求項９】
アリールカップリング反応の触媒系であって、前記の反応系は、銅触媒、配位子、塩基、および有機溶媒を含み、
ここで、前記の銅触媒は、ＣｕＩ、ＣｕＢｒ、ＣｕＣｌ、ＣｕＴｃ、Ｃｕ（ＯＡｃ）２、ＣｕＳＯ４、Ｃｕ２Ｏ、ＣｕＢｒ２、ＣｕＣｌ２、ＣｕＯ，  ＣｕＳＣＮ，  ＣｕＣＮ，  Ｃｕ（ａｃａｃ）２、またはこれらの組み合わせ、好ましくはＣｕＩ、Ｃｕ２Ｏ、Ｃｕ（ａｃａｃ）２からなる群から選ばれ、
前記の塩基は、炭酸カリウム、炭酸セシウム、リン酸カリウム、炭酸水素ナトリウム、炭酸水素カリウム、炭酸ナトリウム、水酸化リチウム、水酸化ナトリウム、テトラブチルアンモニウムヒドロキシド、および／または当該塩基の水和物、あるいはこれらの組み合わせ、好ましくはリン酸カリウム、炭酸セシウム、水酸化リチウムからなる群から選ばれ、
前記の溶媒は、ＤＭＳＯ、ＤＭＦ、ＤＭＡ、ＮＭＰ、アセトニトリル、イソプロパノール、１，４−ジオキサン、テトラヒドロフラン、トルエン、ｔ−ブタノール、またはこれらの組み合わせからなる群から選ばれ、好ましくはＤＭＳＯおよび／またはＤＭＦならびに／あるいはＤＭＳＯ／Ｈ２Ｏであり、
前記の配位子は、下記の式（Ｉ）で表される構造を有する、
【化３９】
0006732008.tif 000205
（ここで、各基の定義は請求項１の通りである）
ことを特徴とする触媒系。
【請求項１０】
式（Ｉ）で表される化合物：
【化４０】
0006732008.tif 000206
であって、以下の群から選ばれることを特徴とする化合物。
【表１−１】
0006732008.tif 000207
【表１−２】
0006732008.tif 000208
【表１−３】
0006732008.tif 000209
【表１−４】
0006732008.tif 000210
【請求項１１】
式（Ｉ）で表される化合物の製造方法であって、
【化４１】
0006732008.tif 000211
前記式（Ｉ）で表される化合物が、以下の群から選ばれ、
【表２−１】
0006732008.tif 000212
【表２−２】
0006732008.tif 000213
【表２−３】
0006732008.tif 000214
【表２−４】
0006732008.tif 000215
方法（ｉ）、または（ｉｉ）から選ばれる方法によって行われることを特徴とする方法；
ここで、方法（ｉ）は、
【化４２】
0006732008.tif 000216
不活性溶媒中において、Ｒ−ＮＨ−Ｒｂを用いて
【化４３】
0006732008.tif 000217
と反応させ、式（Ｉ）化合物を得る工程を含む；
方法（ｉｉ）は、
【化４４】
0006732008.tif 000218
不活性溶媒中において、Ｒ’’−ＮＨ２を用いて
【化４５】
0006732008.tif 000219
と反応させ、式（Ｉ）化合物を得る工程を含む；
または、式（Ｉ）で表される化合物の製造方法は、
【化４６】
0006732008.tif 000220
前記式（Ｉ）で表される化合物が、以下の群から選ばれ、
【表３−１】
0006732008.tif 000221
【表３−２】
0006732008.tif 000222
【表３−３】
0006732008.tif 000223
【表３−４】
0006732008.tif 000224
前記方法は、方法（ＩＩ）によって行われ、
方法（ＩＩ）は、
【化４７】
0006732008.tif 000225
不活性溶媒中において、Ｒ−ＮＨ２を用いて塩化オキサリルと反応させ、式（Ｉ）化合物を得る工程を含む；
（ここで、各基の定義は請求項１０の通りである）
【発明の詳細な説明】
【技術分野】
【０００１】
本発明は、有機合成の分野に関し、具体的に、シュウ酸アミド系配位子によって促進される銅触媒によるハロゲン化アリールのカップリング反応、特にカップリングしてC-N、C-O、C-S結合が生成する反応に関する。
【背景技術】
【０００２】
シュウ酸アミド系化合物は、通常、様々な生物活性を有することで、幅広く注目され、たとえばアリールオキサミド酸モノメチルはヒヨコマメ類の化学交雑剤として有用で、シュウ酸ジアリールアミド化合物はグリコーゲンホスホリラーゼ阻害剤、または小分子調整剤としてCD4-gp120類タンパク質に作用することができる。最近、馬大為の研究チームは、2,6-ジメチルフェニルオキサミド酸を配位子として銅触媒によるヨウ化アリール、臭化物と有機アミンのC-Nカップリング反応に使用し、このような化合物の新たな用途を提案した。しかし、当該反応は主にヨウ化アリールおよび臭化物のカップリング反応に適用される。
【０００３】
遷移金属によって触媒されるハロゲン化アリールと適切な求核試薬、たとえば有機アミン、活性メチレン化合物、アルキン、フェノール、アルコール、チオフェノール、スルフィン酸ナトリウム、硫化ナトリウム、リン酸エステルなどの相応するカップリング反応はC-N、C-C、C-O、C-S、C-P結合を生成させる非常に有効な方法である。通常、ヨウ化アリール、臭化アリールの反応活性が高く、パラジウム、銅、ニッケルなどの遷移金属の触媒によって好適に相応するカップリング反応が実現でき、臭（ヨウ）化芳香族炭化水素と比べ、塩化芳香族炭化水素のほうが安価で、応用の将来性があるが、C-Cl結合の結合エネルギーが高く、遷移金属との酸化付加が困難で、反応は臭化物およびヨウ化物ほど効率的ではない。パラジウムとニッケルによって触媒される塩化アリールのC-Nカップリング反応はすでに関連報告があり、立体障害の大きいリン配位子で反応を促進するのは有効な手段で、2005年にHartwigのチームはフェロセン構造を有する立体障害の大きいホスフィン配位子を使用し、芳香族環および芳香族複素環の塩化物と第一級アミンのカプリング反応に成功し、当該反応系における触媒と配位子の当量は十万分の一のモル当量まで減少させることができ、一部の芳香族複素環の基質は室温条件でこのような反応ができることから、当該触媒系の高効率が示された。また、当該反応はベンゼン環における置換基に対しても優れた兼用性を有する。
【０００４】
2011年、Buchwaldのチームは異なるホスフィン配位子を利用することによって、塩化芳香族炭化水素をそれぞれ第一級アミン、第二級アミンとカップリングさせることができ、当該反応系は基質に対して幅広い兼用性を有し、複素環を有する芳香族アミンもカップリングができることを見出した。
【０００５】
金属のパラジウムおよびニッケルは触媒する塩化芳香族炭化水素のアミノ化反応において高い効率を有するが、大規模の応用にいくつかの問題がある。1、反応系に立体障害が大きくて構造が複雑なホスフィン配位子または窒素含有複素環式カルベン配位子を入れて反応を促進する必要がある。2、パラジウム触媒は高価で、かつゼロ価ニッケルに必要な反応操作は厳しいため、その応用はある程度制限される。それに対し、銅触媒は安価で、安定性があり、獲得しやすく、使用される配位子は構造が簡単で、明らかにこれらの欠陥を防ぐことができる。しかし、現在報告された銅触媒によるカップリング反応の基質は、ヨウ化物と臭化物に限られることが多い。
【０００６】
2007年に、Pellonのチームは2-クロロ安息香酸のオルト位カルボキシ基の促進作用を利用し、超音波の作用下で、脂肪族アミンとのカップリング反応を実現させ、第一級アミンおよび第二級アミンはいずれも優れた収率でカップリング産物が得られるが、当該方法はオルト位カルボキシ基置換の基質だけに有効で、一般性がない(Docampo, M. L.; Pellon, R. F.; Estevez-Braun, A.; Ravelo, A. G. Eur. J. Org. Chem. 2007, 4111.)。この反応は本質的にカップリング反応ではなくて求核置換反応で、かつ反応温度が非常に高い。
【化１】
0006732008.tif 000002
【０００７】
もう一つの塩化芳香族炭化水素のウルマン反応に関する報告はTailleferのチームからのもので、彼らは2,2,6,6-テトラメチル-3,5-ヘプタンジオンを配位子とし、クロロベンゼンとフェノール系化合物のC-Oカップリングを実現させたが、この反応系の主な欠点は、反応に0.8当量も配位子を入れる必要があるため、反応の経済性を低下させる(Xia, N.; Taillefer, M. Chem. Eur. J. 2008, 14, 6037.)。
【化２】
0006732008.tif 000003
【０００８】
このように、本分野では、反応を効率的に進行させる銅触媒による塩化アリールカップリング反応の触媒系がまだ欠けている。
【先行技術文献】
【非特許文献】
【０００９】
【非特許文献１】Docampo, M. L.; Pellon, R. F.; Estevez-Braun, A.; Ravelo, A. G. Eur. J. Org. Chem. 2007, 4111
【非特許文献２】Xia, N.; Taillefer, M. Chem. Eur. J. 2008, 14, 6037
【発明の概要】
【発明が解決しようとする課題】
【００１０】
本発明の目的は、銅触媒によるハロゲン化アリール（特に塩化アリール）のカップリング反応に使用可能な触媒系を提供することである。
【課題を解決するための手段】
【００１１】
本発明の第一の側面では、下記の式Iで表される化合物の使用であって、
【化３】
0006732008.tif 000004
（ただし、Rは、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5のアルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
【００１２】
Raは、  （a）OR'（ここで、前記のR'は置換または無置換のC1〜C6のアルキル基からなる群から選ばれる。）、あるいは（b）N(R'')2（ここで、各R''は、それぞれ独立にH、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。好ましくはN(R'')2はNHR''である。）から選ばれる。
【００１３】
Rbは、H、C1〜C6のアルキル基からなる群から選ばれるか、あるいはRbはRおよび隣接する窒素原子とともに置換または無置換の3〜20員のヘテロアリール基、あるいは置換または無置換の3〜20員の複素環基を構成する。
【００１４】
前記の置換とは、基における一つまたは複数の水素原子がハロゲン、C1〜C6アルキル基、ハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基-アルコキシ基(アルキル基-OOC-)、C2〜C10のアシル基(アルキル基-CO-)、C2〜C10のアミド基(アルキル基/アリール基-NHC(O)-)、-COOH、ニトロ基、ヒドロキシ基、アミノ基、1個または2個のC1〜C6のアルキル基で置換されたアミノ基からなる群から選ばれる置換基で置換されることをいう。）
【００１５】
配位子として銅触媒による、塩化アリール、臭化アリール、ヨウ化アリール、またはこれらの組み合わせからなる群から選ばれるハロゲン化アリールのカップリング反応に使用されることを特徴とする使用を提供する。
【００１６】
もう一つの好適な例において、前記のRは置換または無置換のフェニル基、置換または無置換のナフチル基、置換または無置換のベンジル基、置換または無置換のキノリニル基、置換または無置換の
【化４】
0006732008.tif 000005
置換または無置換のアダマンチル基、置換または無置換のC1〜C6アルキル基、置換または無置換の
【化５】
0006732008.tif 000006
からなる群から選ばれるか、
あるいはR、Rbおよび隣接する窒素原子とともに置換または無置換の、
【化６】
0006732008.tif 000007
【化７】
0006732008.tif 000008
からなる群から選ばれる基を構成する。
【００１７】
もう一つの好適な例において、前記のRは置換または無置換のフェニル基、置換または無置換のナフチル基、置換または無置換のベンジル基、C1〜C4アルキル基、ピリジル基、アダマンチル基からなる群から選ばれ、
【００１８】
前記のRaは、（a）OR'（ここで、前記のR'は置換または無置換のC1〜C6のアルキル基からなる群から選ばれる。）、あるいは  （b）N(R'')2（ここで、各R''は、それぞれ独立にH、置換または無置換のC6〜C20のアリール基、置換または無置換の3〜20員のヘテロアリール基、置換または無置換のC7〜C25のアルキル基-アリール基、置換または無置換のC1〜C5のアルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。）から選ばれる。
【００１９】
もう一つの好適な例において、前記のRaがNHR''である場合、前記のR''は置換または無置換のフェニル基、置換または無置換のナフチル基、置換または無置換のベンジル基、C1〜C4アルキル基、ピリジル基、アダマンチル基からなる群から選ばれる。
【００２０】
もう一つの好適な例において、前記のRaはNHR''である。
【００２１】
もう一つの好適な例において、前記の置換とは、基における一つまたは複数の水素原子がハロゲン、メチル基、トリフルオロメチル基、エチル基、イソプロピル基、t-ブチル基、ジメチルアミノ基、メトキシ基、t-ブトキシ基、-Aｃ、CH3NHC(O)-、フェニル基、フェノキシ基、-COOH、エステル基、ニトロ基、シアノ基、ヒドロキシ基からなる群から選ばれる置換基で置換されることをいう。
【００２２】
もう一つの好適な例において、前記のハロゲン化アリールは塩化アリールである。
【００２３】
本発明の第二の側面では、ハロゲン化アリールのカップリング反応の方法であって、銅を触媒として、下記の式Iで表される化合物を配位子として使用し、前記のカップリング反応を行うことを含み、
【化８】
0006732008.tif 000009
（ただし、Rは、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
【００２４】
Raは、（a）OR'（ここで、前記のR'は置換または無置換のC1〜C6のアルキル基からなる群から選ばれる。）、あるいは（b）N(R'')2（ここで、各R''は、それぞれ独立にH、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。）から選ばれる。
【００２５】
Rbは、H、C1〜C6のアルキル基からなる群から選ばれるか、あるいはRbはRおよび隣接する窒素原子とともに置換または無置換の3〜20員のヘテロアリール基、あるいは置換または無置換の3〜20員の複素環基を構成する。
【００２６】
前記の置換とは、基における一つまたは複数の水素原子がハロゲン、C1〜C6アルキル基、ハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基-アルコキシ基(アルキル基-OOC-)、C2〜C10のアシル基(アルキル基-CO-)、C2〜C10のアミド基(アルキル基/アリール基-NHC(O)-)、-COOH、ニトロ基、シアノ基、ヒドロキシ基、アミノ基、1個または2個のC1〜C6のアルキル基で置換されたアミノ基からなる群から選ばれる置換基で置換されることをいう。）
【００２７】
ここで、前記のハロゲン化アリールは、塩化アリール、臭化アリール、ヨウ化アリール、またはこれらの組み合わせからなる群から選ばれる、方法を提供する。
【００２８】
もう一つの好適な例において、前記の銅触媒は、CuI、CuBr、CuCl、CuTc、Cu(OAc)2、CuSO4、Cu2O、CuBr2、CuCl2、CuO、CuSCN、CuCN、Cu(acac)2、またはこれらの組み合わせ、好ましくはCuI、Cu2O、Cu(acac)2からなる群から選ばれる。
【００２９】
もう一つの好適な例において、前記の反応は、塩基の存在下で行われる。
【００３０】
もう一つの好適な例において、前記の塩基は、炭酸カリウム、炭酸セシウム、リン酸カリウム、炭酸水素ナトリウム、炭酸水素カリウム、炭酸ナトリウム、水酸化リチウム、水酸化ナトリウム、および/または当該塩基の水和物、あるいはこれらの組み合わせ、好ましくはリン酸カリウム、炭酸セシウム、水酸化リチウムからなる群から選ばれ、最も好ましくはリン酸カリウムである。
【００３１】
もう一つの好適な例において、前記反応では、前記配位子と反応物であるハロゲン化アリールのモル比は1〜50：100、好ましくは5〜20：100で、前記配位子と銅触媒のモル比は1〜5：1、好ましくは1〜2：1である。
【００３２】
もう一つの好適な例において、前記の反応は、
【化９】
0006732008.tif 000010
不活性溶媒中で、
【化１０】
0006732008.tif 000011
を用いてカップリング試薬と反応させ、
【化１１】
0006732008.tif 000012
化合物を得ることを含み、ここで、Xは、N、OまたはSからなる群から選ばれ、Yは、Cl、Bｒ、Iからなる群から選ばれ、
【化１２】
0006732008.tif 000013
は、置換または無置換のC6〜C20のアリール基、置換または無置換の3〜20員のヘテロアリール基からなる群から選ばれ、ここで、前記の置換とは、アリール基における一つまたは複数の水素原子がハロゲン、ニトロ基、シアノ基、無置換のアミノ基あるいは1個または2個のC1〜C6のアルキル基またはC2〜C10のアシル基(アルキル基-OOC-)で置換されたアミノ基、ヒドロキシ基、無置換またはハロゲン置換のC1〜C6アルキル基、C1〜C6アルコキシ基、C6〜C10のアリール基、3〜20員のヘテロアリール基、C6〜C10のアリール基-オキシ基、C2〜C10のエステル基(アルキル基-COO-)、C2〜C10のアシル基(アルキル基-CO-)、C2〜C10のアシル基-アルコキシ基(アルキル基-OOC-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいい、ここで、前記アリール基における隣接する2つの炭素原子の2つの水素原子は-（CH2）n-で置換されてもよく（nは1、2、3、4、5または6である）
【００３３】
前記のカップリング試薬は、アンモニア水、アンモニアガス、アンモニウム塩（好ましくは塩化アンモニウム、炭酸アンモニウム、硫酸アンモニウム、リン酸水素アンモニウム、またはこれらの組み合わせ）/水酸化物溶液（好ましくは水酸化カリウム溶液）、
【化１３】
0006732008.tif 000014
（2〜19個の炭素原子を有し、飽和、部分不飽和または芳香性環でもよい）、RcC(O)NHR2、R1SO2M(好ましくは、Mはナトリウム、カリウムである)、アジ化ナトリウム、NHR1R2、R1OH、R1SH、水酸化物（好ましくは水酸化リチウム、またはリン酸カリウム、炭酸カリウム、炭酸セシウムと水の混合物）からなる群から選ばれ、
【００３４】
R1、R2、Rcは、それぞれ独立にH、置換または無置換のC1〜C6のアルキル基、置換または無置換のC1〜C6のアルケニル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、置換または無置換のC1〜C5アルキル基-C3〜20のシクロアルキル基、置換または無置換の3〜20員の複素環基あるいは、置換または無置換のC1〜C5アルキル基-3〜20員の複素環基からなる群から選ばれるか、
【００３５】
あるいはR1とR2および隣接する窒素原子とともに置換または無置換の3〜20員の複素環基、置換または無置換の3〜20員のヘテロアリール基を構成するか、
【００３６】
あるいはRcとR2および隣接するC(O)NHとともに置換または無置換の3〜20員の複素環基、置換または無置換の3〜20員のヘテロアリール基を構成し、
【００３７】
前記のヘテロアリール基または複素環にN、OまたはSからなる群から選ばれるヘテロ原子が1〜5個含まれ、前記のシクロアルキル基または複素環基は単環、多環、スピロ環または橋架け環の構造で、
【００３８】
前記の置換とは、基における一つまたは複数の水素原子がハロゲン、シアノ基、酸素（すなわち、基の同一の炭素原子における2つの水素原子が=Oで置換される）、C1〜C6アルキル基、ハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基-アルコキシ基(アルキル基-OOC-)、C2〜C10のアシル基(アルキル基-CO-)、C2〜C10のアミド基(アルキル基/アリール基-NHC(O)-)、-COOH、ニトロ基、ヒドロキシ基、アミノ基、1個または2個のC1〜C6のアルキル基で置換されたアミノ基、C1〜C6アルキル基-S-からなる群から選ばれる置換基で置換されることをいう。
【００３９】
もう一つの好適な例において、前記の不活性溶媒は、DMSO、DMF、DMA、NMP、アセトニトリル、イソプロパノール、またはこれらの組み合わせからなる群から選ばれ、好ましくはDMSOおよび/またはDMFならびに/あるいはDMSO/H2Oである。
【００４０】
もう一つの好適な例において、前記の反応温度は50〜180℃、好ましくは100〜130℃である。
【００４１】
もう一つの好適な例において、前記の反応は、以下の(1)、(2)、(3)、(4)、(5)、(6)、(7)または(8)を含む。
（1）   不活性溶媒中で、
【化１４】
0006732008.tif 000015
を用いてNHR1R2と反応させ、
【化１５】
0006732008.tif 000016
を得る。
【化１６】
0006732008.tif 000017
（ただし、各基の定義は前記の通りである。）
（2）   不活性溶媒中で、
【化１７】
0006732008.tif 000018
を用いてアンモニア源と反応させ、
【化１８】
0006732008.tif 000019
を得る。
【化１９】
0006732008.tif 000020
（ただし、各基の定義は前記の通りである。
【００４２】
前記のアンモニア源は、アンモニアガス、アンモニア水、塩化アンモニウム、炭酸アンモニウム、炭酸水素アンモニウム、硫酸アンモニウム、硝酸アンモニウム、リン酸アンモニウム、リン酸水素二アンモニウム、アジ化ナトリウム、好ましくはアンモニアガス、アンモニア水、塩化アンモニウムおよびリン酸水素二アンモニウムからなる群から選ばれる。）
（3）   不活性溶媒中で、
【化２０】
0006732008.tif 000021
を用いてR1OHと反応させ、
【化２１】
0006732008.tif 000022
を得る。
【化２２】
0006732008.tif 000023
（ただし、各基の定義は前記の通りである。）
（4）  不活性溶媒中で、
【化２３】
0006732008.tif 000024
を用いてR1SHと反応させ、
【化２４】
0006732008.tif 000025
を得る。
【化２５】
0006732008.tif 000026
（ただし、各基の定義は前記の通りである。）
【００４３】
もう一つの好適な例において、前記の反応は、以下の（5）を含む。
（5）  不活性溶媒中で、
【化２６】
0006732008.tif 000027
を用いて
【化２７】
0006732008.tif 000028
と反応させ、
【化２８】
0006732008.tif 000029
を得る。
【化２９】
0006732008.tif 000030
（ただし、
【化３０】
0006732008.tif 000031
は、置換または無置換のN原子を含有する3〜20員の環で、前記3〜20員の環は飽和、不飽和または芳香性のもので、ほかの各基の定義は前記の通りである。）
【００４４】
もう一つの好適な例において、前記の反応は、以下の（6）を含む。
（6）  不活性溶媒中で、
【化３１】
0006732008.tif 000032
を用いて
【化３２】
0006732008.tif 000033
と反応させ、
【化３３】
0006732008.tif 000034
を得る。
【化３４】
0006732008.tif 000035
（ただし、Rcは、H、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよく、あるいはRcとR2および隣接するC(O)NHとともに置換または無置換の3〜20員の複素環基、置換または無置換の3〜20員のヘテロアリール基を構成し、前記の置換とは、基における一つまたは複数の水素原子がハロゲン、C1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOHからなる群から選ばれる置換基で置換されることをいう。ほかの各基の定義は前記の通りである。）
【００４５】
もう一つの好適な例において、前記の反応は、以下の（7）を含む。
（7）  不活性溶媒中で、
【化３５】
0006732008.tif 000036
を用いて
【化３６】
0006732008.tif 000037
と反応させ、
【化３７】
0006732008.tif 000038
を得る。
【化３８】
0006732008.tif 000039
（ただし、各基の定義は前記の通りである。）
もう一つの好適な例において、前記の反応は、以下の（8）を含む。
（8）  不活性溶媒中で、
【化３９】
0006732008.tif 000040
を用いて水酸化物または塩基の加水分解によるOH-と反応させ、
【化４０】
0006732008.tif 000041
を得る。
【化４１】
0006732008.tif 000042
（ただし、各基の定義は前記の通りである。）
【００４６】
もう一つの好適な例において、反応（1）では、前記の配位子はL-I-25、L-I-27、L-II-7、L-II-9、L-II-31、L-II-38、L-II-64からなる群から選ばれ、最も好ましくはL-II-38、L-II-31またはL-II-64である。
【００４７】
もう一つの好適な例において、反応（1）では、前記の不活性溶媒は、DMSO、DMF、DMA、NMP、アセトニトリル、イソプロパノール、THF、1,4-ジオキサンでもよく、好ましくはDMSO、DMF、DMAまたはこれらの組み合わせで、最も好ましくはDMSOである。
もう一つの好適な例において、反応（1）では、前記の反応温度は50〜180℃、好ましくは100〜130℃である。
【００４８】
もう一つの好適な例において、反応（2）では、前記の配位子はL-I-27、L-II-9、L-II-34、L-II-30、L-II-38、L-II-64、L-II-71、L-II-73からなる群から選ばれ、最も好ましくはL-II-38、L-II-64またはL-II-71である。
【００４９】
もう一つの好適な例において、反応（2）では、前記の塩基は、炭酸カリウム、炭酸セシウム、リン酸カリウム、炭酸ナトリウム、炭酸水素ナトリウム、炭酸水素カリウム、またはこれらの組み合わせからなる群から選ばれ、最も好ましくはリン酸カリウムである。
【００５０】
もう一つの好適な例において、反応（2）では、前記のアンモニア源がアンモニウム塩である場合、前記の反応は、強塩基の存在下で行われる（好ましくはKOHの存在下で行われる）。
【００５１】
もう一つの好適な例において、反応（2）では、前記の溶媒は、DMSO、DMF、DMA、NMP、アセトニトリル、イソプロパノールからなる群から選ばれ、好ましくはDMSO、DMF、DMAまたはこれらの組み合わせで、最も好ましくはDMSOである。
【００５２】
もう一つの好適な例において、反応（2）では、前記の反応温度は50〜180℃、好ましくは100〜130℃である。
【００５３】
もう一つの好適な例において、反応（3）では、前記の配位子はL-II-34が好ましい。
【００５４】
もう一つの好適な例において、反応（3）では、前記の塩基は、炭酸カリウム、炭酸セシウム、リン酸カリウム、炭酸ナトリウム、炭酸水素ナトリウム、炭酸水素カリウム、またはこれらの組み合わせからなる群から選ばれ、最も好ましくはリン酸カリウムである。
【００５５】
もう一つの好適な例において、反応（3）では、前記の溶媒は、DMSO、DMF、DMA、NMP、アセトニトリル、イソプロパノール、THF、1,4-ジオキサン、またはこれらの組み合わせからなる群から選ばれ、好ましくはDMSOである。
【００５６】
もう一つの好適な例において、反応（3）では、前記の反応温度は50〜180℃、好ましくは100〜130℃である。
【００５７】
もう一つの好適な例において、反応（4）では、前記の配位子はL-II-34である。
【００５８】
もう一つの好適な例において、反応（4）では、前記の溶媒は、DMSO、DMF、DMA、NMP、アセトニトリル、イソプロパノール、THF、1,4-ジオキサン、またはこれらの組み合わせからなる群から選ばれ、好ましくはDMSOである。
【００５９】
もう一つの好適な例において、反応（4）では、前記の反応温度は50〜180℃、好ましくは100〜130℃である。
【００６０】
もう一つの好適な例において、反応（5）では、前記の配位子はL-II-82が好ましい
【００６１】
もう一つの好適な例において、反応（5）では、前記の塩基は、炭酸カリウム、炭酸セシウム、リン酸カリウム、炭酸ナトリウム、炭酸水素ナトリウム、炭酸水素カリウム、またはこれらの組み合わせからなる群から選ばれ、最も好ましくはリン酸カリウムである。
【００６２】
もう一つの好適な例において、反応（5）では、前記の溶媒は、DMSO、DMF、DMA、NMP、アセトニトリル、b-ブタノール、イソプロパノール、THF、1,4-ジオキサン、またはこれらの組み合わせからなる群から選ばれ、好ましくはDMSOである。
【００６３】
もう一つの好適な例において、反応（5）では、前記の反応温度は50〜180℃、好ましくは100〜130℃である。
【００６４】
もう一つの好適な例において、反応（6）では、前記の配位子はL-II-83、L-II-90が好ましい。
【００６５】
もう一つの好適な例において、反応（6）では、前記の塩基は、炭酸カリウム、炭酸セシウム、リン酸カリウム、炭酸ナトリウム、炭酸水素ナトリウム、炭酸水素カリウム、またはこれらの組み合わせからなる群から選ばれ、最も好ましくはリン酸カリウムである。
【００６６】
もう一つの好適な例において、反応（6）では、前記の溶媒は、DMSO、DMF、DMA、NMP、アセトニトリル、b-ブタノール、イソプロパノール、THF、1,4-ジオキサン、またはこれらの組み合わせからなる群から選ばれ、好ましくはDMSOである。
【００６７】
もう一つの好適な例において、反応（6）では、前記の反応温度は50〜180℃、好ましくは100〜130℃である。    
【００６８】
もう一つの好適な例において、反応（7）では、前記の配位子はL-II-3、L-II-37が好ましい。
【００６９】
もう一つの好適な例において、反応（7）では、前記の塩基は、炭酸カリウム、炭酸セシウム、リン酸カリウム、炭酸ナトリウム、炭酸水素ナトリウム、炭酸水素カリウム、またはこれらの組み合わせからなる群から選ばれ、最も好ましくはリン酸カリウムである。
【００７０】
もう一つの好適な例において、反応（7）では、前記の溶媒は、DMSO、DMF、DMA、NMP、アセトニトリル、b-ブタノール、イソプロパノール、THF、1,4-ジオキサン、またはこれらの組み合わせからなる群から選ばれ、好ましくはDMSOである。
【００７１】
もう一つの好適な例において、反応（7）では、前記の反応温度は50〜180℃、好ましくは100〜130℃である。
【００７２】
もう一つの好適な例において、反応（8）では、前記の配位子はL-II-65、L-II-93が好ましい。
【００７３】
もう一つの好適な例において、反応（8）では、前記の塩基は、炭酸カリウム、炭酸セシウム、リン酸カリウム、炭酸ナトリウム、炭酸水素ナトリウム、炭酸水素カリウム、水酸化リチウム、水酸化ナトリウム、および/または当該塩基の水和物、あるいはこれらの組み合わせからなる群から選ばれ、好ましくは水酸化リチウムである。
【００７４】
もう一つの好適な例において、反応（8）では、前記の溶媒は、DMSO、DMF、DMA、NMP、アセトニトリル、イソプロパノール、THF、1,4-ジオキサン、b-ブタノール、および/または前記1種または複数の溶媒と水の混合物、あるいはこれらの組み合わせからなる群から選ばれ、好ましくはDMSO/H2Oである。
【００７５】
もう一つの好適な例において、反応（8）では、前記の反応温度は50〜180℃、好ましくは100〜130℃である。
【００７６】
本発明の第三の側面では、アリールカップリング反応の触媒系であって、前記の反応系は、銅触媒、配位子、塩基、有機溶媒を含み、
【００７７】
ここで、前記の銅触媒は、CuI、CuBr、CuCl、CuTc、Cu(OAc)2、CuSO4、Cu2O、CuBr2、CuCl2、CuO, CuSCN, CuCN, Cu(acac)2、またはこれらの組み合わせ、好ましくはCuI、Cu2O、Cu(acac)2からなる群から選ばれ、
【００７８】
前記の塩基は、炭酸カリウム、炭酸セシウム、リン酸カリウム、炭酸水素ナトリウム、炭酸水素カリウム、炭酸ナトリウム、水酸化リチウム、水酸化ナトリウム、テトラブチルアンモニウムヒドロキシド、および/または当該塩基の水和物、あるいはこれらの組み合わせ、好ましくはリン酸カリウム、炭酸セシウム、水酸化リチウムからなる群から選ばれ、
【００７９】
前記の溶媒は、DMSO、DMF、DMA、NMP、アセトニトリル、イソプロパノール、1,4-ジオキサン、テトラヒドロフラン、トルエン、t-ブタノール、またはこれらの組み合わせからなる群から選ばれ、好ましくはDMSOおよび/またはDMFならびに/あるいはDMSO/H2Oで、
【００８０】
前記の配位子は、下記の式（I）で表される構造を有する、
【化４２】
0006732008.tif 000043
（ここで、各基の定義は、本発明の第一の側面に記載の通りである。）
触媒系を提供する。
【００８１】
もう一つの好適な例において、前記の触媒系は、ハロゲン化アリールのカップリング反応に使用され、前記のハロゲン化アリールは、塩化アリール、臭化アリール、ヨウ化アリールからなる群から選ばれる。
【００８２】
もう一つの好適な例において、前記の触媒系は、塩化アリールのカップリング反応に使用される。
【００８３】
本発明の第四の側面では、下記の式（I）で表される化合物を提供する。
【化４３】
0006732008.tif 000044
（ただし、Rは、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
Raは、（a）OR'（ここで、前記のR'はMe、Etからなる群から選ばれる。）、あるいは（b）N(R'')2（ここで、各R''は、それぞれ独立にH、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。）から選ばれる。
Rbは、H、C1〜C6のアルキル基からなる群から選ばれるか、あるいはRbはRおよび隣接する窒素原子とともに置換または無置換の3〜20員のヘテロアリール基、あるいは置換または無置換の3〜20員の複素環基を構成し、かつRaが(a)から選ばれ、R'がHである場合、Rはメチル基で置換されたナフチル基であり、前記の置換とは、基における一つまたは複数の水素原子がハロゲン、C1〜C6アルキル基、ハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基-アルコキシ基(アルキル基-OOC-)、C2〜C10のアシル基(アルキル基-CO-)、C2〜C10のアミド基(アルキル基/アリール基-NHC(O)-)、-COOH、ニトロ基、シアノ基、ヒドロキシ基、アミノ基、1個または2個のC1〜C6のアルキル基で置換されたアミノ基からなる群から選ばれる置換基で置換されることをいう。）
【００８４】
もう一つの好適な例において、前記の化合物では、R、Ra、Rb、R’、R1、R2、R4および
【化４４】
0006732008.tif 000045
のうちの任意の一つはそれぞれ本出願における相応する具体的な化合物における相応する基である。
【００８５】
もう一つの好適な例において、前記の式（I）化合物は表1または表2で示される構造である。
【００８６】
本発明の第五の側面では、本発明の第四に記載の化合物の製造方法であって、方法（i）、（ii）)または（II）の方法によって行われる。
方法（i）は、
【化４５】
0006732008.tif 000046
不活性溶媒において、R-NH-Rbを用いて
【化４６】
0006732008.tif 000047
と反応させ、式（I）化合物を得る工程を含む。
方法（ii）は、
【化４７】
0006732008.tif 000048
不活性溶媒において、R''-NH2を用いて
【化４８】
0006732008.tif 000049
と反応させ、式（I）化合物を得る工程を含む。
方法（II）は、
【化４９】
0006732008.tif 000050
不活性溶媒において、R-NH2を用いて塩化オキサリルと反応させ、式（I）化合物を得る工程を含む。
（ここで、各基の定義は、本発明の第四の側面に記載の通りである。）
【００８７】
もう一つの好適な例において、前記の方法(i)では、前記の不活性溶媒はテトラヒドロフラン、ジクロロメタン、DMFからなる群から選ばれる。
【００８８】
もう一つの好適な例において、前記の方法（i）では、前記の反応はトリエチルアミンの存在下で行われる。
【００８９】
もう一つの好適な例において、前記の方法（i）では、前記の反応は-5℃〜40℃で行われる。
【００９０】
もう一つの好適な例において、前記の方法（ii）では、前記の不活性溶媒はテトラヒドロフラン、ジクロロメタン、DMFからなる群から選ばれる。
【００９１】
もう一つの好適な例において、前記の方法（ii）では、前記の反応は10℃〜80℃（好ましくは室温、すなわち10〜40℃）で行われる。
【００９２】
もう一つの好適な例において、前記の方法（II）では、前記の不活性溶媒はテトラヒドロフラン、ジクロロメタン、DMFからなる群から選ばれる。
【００９３】
もう一つの好適な例において、前記の方法（II）では、前記の反応はトリエチルアミンの存在下で行われる。
【００９４】
もう一つの好適な例において、前記の方法（II）では、前記の反応は-5℃〜40℃で行われる。
もちろん、本発明の範囲内において、本発明の上記の各技術特徴および下記（たとえば実施例）の具体的に記述された各技術特徴は互いに組合せ、新しい、または好適な技術方案を構成できることが理解される。紙数に限りがあるため、ここで逐一説明しない。
【発明を実施するための形態】
【００９５】
本発明者は長期間で深い研究を経て、銅触媒による塩化アリールのカップリング反応に適するシュウ酸（モノ・ジ）アミド配位子を提供し、このような配位子と銅試薬、塩基、溶媒からなる適切な触媒系によって、ハロゲン化アリールの銅触媒によるカップリング反応に使用することができ、特に通常の条件で生じにくい銅触媒による塩化アリールと数種類の求核試薬のカップリングを有効に促進し、C-N、C-O、C-S結合を生成し、多くの有用な小分子化合物を合成することができる。当該方法は、反応条件が温和で、適用範囲が幅広く、優れた工業への応用の将来性がある。
【００９６】
用語
本明細書で用いられるように、用語「ハロゲン」とは、フッ素、塩素、臭素、ヨウ素を指す。
【００９７】
用語「ハロゲン置換」とは、基における一つまたは複数の水素原子がハロゲンで置換されることをいう。
【００９８】
用語「アルキル基」とは直鎖または分枝鎖のアルキル基を指す。当該アルキル基の前に限定する炭素原子数がある（たとえばC1〜C6）場合、前記のアルキル基が1〜6個の炭素原子を有することをいい、たとえばメチル基、エチル基、プロピル基、イソプロピル基、ブチル基、イソブチル基、sec-ブチル基、t-ブチル基や類似の基が挙げられる。
【００９９】
用語「シクロアルキル基」とは、飽和または部分飽和の単位、二環または三環（縮合環、橋架け環またはスピロ環）の環系を指す。前記のシクロアルキル基は、3〜20個の炭素原子を有してもよい。あるシクロアルキル基の前に限定する炭素原子数がある（たとえばC3〜C20）場合、前記のシクロアルキル基が3〜20個の炭素原子を有することをいい、たとえばシクロプロピル基、シクロブチル基、シクロペンチル基、シクロヘプチル基や類似の基が挙げられる。前記のシクロアルキル基は、単環、多環、スピロ環または橋架け環の形態でもよい。
【０１００】
本明細書で用いられるように、用語「アルコキシ基」とは、酸素原子で連結したアルキル基（たとえば、-O-アルキル基で、ここで、アルキル基は上記の通りである。）を指し、たとえばメトキシ基、エトキシ基、プロポキシ基、イソプロポキシ基、ブトキシ基、イソブトキシ基、sec-ブトキシ基、t-ブトキシ基や類似の基が挙げられるが、これらに限定されない。アルコキシ基の前に限定する炭素原子数がある（たとえばC1〜C6）場合、前記のシクロアルキル基が1〜20個の炭素原子を有することをいう。
【０１０１】
用語「アリール基」とは、単環、二環または縮合環の芳香族炭化水素基を指し、前記のアリール基は置換または無置換のものでもよい。アリール基の前に限定する炭素原子数がある（たとえばC6〜C20）場合、前記のアリール基が6〜20個の炭素原子を有することをいう。アリール基の例として、たとえば、フェニル基、ビフェニル基、ナフチル基や類似の基（ここで、各炭素原子はいずれも任意に置換されてもよい）が挙げられるが、これらに限定されない。
【０１０２】
用語「ヘテロアリール基」とは、単環、二環または縮合環の芳香族基を指し、前記基はN、OまたはSから選ばれるヘテロ原子を少なくとも1つ有する。前記のヘテロアリール基は3〜20員で、それぞれ独立にN、OまたはSから選ばれる1〜5個のヘテロ原子を有する芳香族環基でもよい。ヘテロアリール基の例として、たとえば、ピリジン、ピリミジン、ピロール、インダゾール、インドール、フラン、ベンゾフラン、チオフェンや類似の基が挙げられるが、これらに限定されない。
【０１０３】
用語「複素環基」とは、単環または縮合環の飽和または部分飽和の置換基を指し、前記基はN、OまたはSから選ばれる同一か相異のヘテロ原子を少なくとも1つ有する。前記の複素環基は3〜20員で、それぞれ独立にN、OまたはSから選ばれる1〜5個のヘテロ原子を有する複素環基でもよい。複素環基の例として、たとえば窒素含有複素環基、酸素含有複素環基、硫黄含有複素環基、窒素・酸素含有複素環基などが挙げられるが、これらに限定されない。
【０１０４】
用語「エステル基」とは、「アルキル基-COO-」構造を有する基を指し、ここで、アルキル基は前記の通りである。
【０１０５】
用語「アシル基」とは、「アルキル基-CO-」構造を有する基を指し、ここで、アルキル基は前記の通りである。
【０１０６】
用語「アミド基」とは、「アルキル基-NHC(O)-」または「アリール基-NHC(O)-」構造を有する基を指し、ここで、アルキル基、アリール基は前記の通りである。
【０１０７】
配位子
特別に説明しない限り、本明細書に記載の配位子とは、銅触媒による塩化アリールのカップリング反応に使用される配位子を指す。
【０１０８】
本発明に使用可能な配位子は前記式（I）で表される構造を有し、好適な配位子は下記群から選ばれる構造（各基の定義は前記の通りである。）を有する。
第一種類の配位子：シュウ酸モノアミドモノメチル/エチルエステル
【化５０】
0006732008.tif 000051
【０１０９】
ここで、各基の定義は前記の通りである。好ましくは、Rはフェニル基、置換フェニル基、ナフチル基、ピリジル基、ベンジル基、置換ベンジル基、アダマンチル基などである。
【０１１０】
より好ましいシュウ酸モノアミドエステル系配位子は下記表1で表される構造を有する。
表1  シュウ酸モノアミドモノメチル/エチルエステル配位子
【表１】
0006732008.tif 000052
0006732008.tif 000053
【０１１１】
第二種類の配位子：シュウ酸ジアミド
【化５１】
0006732008.tif 000054
ここで、各基の定義は前記の通りである。好ましくは、Rはフェニル基、置換フェニル基、ナフチル基、アントリル基、ベンジル基、置換ベンジル基、C1〜C4アルキル基、ピリジル基、アダマンチル基などである。R''はフェニル基、置換フェニル基、ナフチル基、ベンジル基、置換ベンジル基、C1〜C4アルキル基、ピリジル基、アダマンチル基などである（RはR''と同様でもよく、異なってもよい。）。
【０１１２】
より好ましいシュウ酸ジアミド系配位子は下記表2で表される構造を有する。
表2  シュウ酸ジアミド
【表２−１】
0006732008.tif 000055
【表２−２】
0006732008.tif 000056
【表２−３】
0006732008.tif 000057
【表２−４】
0006732008.tif 000058
【表２−５】
0006732008.tif 000059
【表２−６】
0006732008.tif 000060
【０１１３】
上記の各配位子は市販品として入手するか、あるいは本発明によって提供される好適な方法で製造して得ることができる。
【０１１４】
もちろん、C-Br結合とC-I結合の結合エネルギーはC-Cl結合よりも低く、同等の条件において、臭化アリール、ヨウ化アリールのカップリング反応は塩化アリールよりも発生しやすい。そのため、上記配位子は、塩化アリールのカップリング反応以外、本分野の通常の臭化アリール、ヨウ化アリールのカップリング反応にも使用することができる。
【０１１５】
銅触媒による塩化アリールのカップリング反応
また、本発明は、塩化アリールのカップリング反応の方法であって、前記の式（I）化合物を配位子として使用して上記反応を行うことを含む方法を提供する。
【０１１６】
通常、ヨウ化アリール、臭化アリールの反応活性が高く、パラジウム、銅、ニッケルなどの遷移金属の触媒によって好適に相応するカップリング反応が実現でき、臭（ヨウ）化芳香族炭化水素と比べ、塩化芳香族炭化水素のほうが安価で、応用の将来性があるが、C-Cl結合の結合エネルギーが高いため、塩化アリールは通常の臭化アリール、ヨウ化アリールの触媒条件で反応しにくい。
【０１１７】
異なる反応物に対して本発明の公開範囲内で配位子および反応条件を最適化することによって、最適な配位子の種類および反応条件（たとえば温度、溶媒、反応物の比率や反応時間など）を選択することができ、本出願の公開内容を読んだ後、上記最適化は当業者の技能範囲内に含まれる。
【０１１８】
いくつかの最適な銅触媒による塩化アリールのカップリング反応は以下の通りである。
1．シュウ酸（モノ・ジ）アミド配位子によって促進される銅触媒による塩化アリールのC-Nカップリング反応
【０１１９】
C-Nカップリング反応において、カップリング試薬の選択は制限されず、相応する第一級アミンまたは第二級アミンでもよく、ほかのアンモニア源、たとえばアンモニアガス、アンモニア水、またアンモニウム塩、アジ化ナトリウム、窒素含有ヘテロ芳香族環などでもよい。具体的な反応過程が以下の通りである。
【０１２０】
カップリング試薬が第一級アミンまたは第二級アミンである場合、反応は以下の通りである。
【化５２】
0006732008.tif 000061
ただし、各基の定義は前記の通りである。
【０１２１】
【化５３】
0006732008.tif 000062
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいう。
【０１２２】
R1、R2は、それぞれ独立にH、置換または無置換のC1〜C6アルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれるか、あるいはR1、R2およびそれに隣接するN原子がとともに3〜20員の環（たとえば置換または無置換のピロール、インドール、アゾール類、ベンゾアゾールや芳香族複素環）を構成するか、あるいはR1はRcC(O)-で、RcはH、置換または無置換のC1〜C6アルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
【０１２３】
前記の置換とは、基における一つまたは複数の水素原子がハロゲン、C1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOHからなる群から選ばれる置換基で置換されることをいう。
【０１２４】
上記反応過程において、銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCuIである。
前記の配位子は特に制限されず、上記のいずれかの配位子でもよく、好ましくはL-I-25、L-I-27、L-II-7、L-II-9、L-II-31、L-II-38、L-II-64で、最も好ましくはL-II-31、L-II-38またはL-II-64である。
【０１２５】
好適な塩基は、炭酸カリウム、炭酸セシウム、リン酸カリウム、炭酸ナトリウム、炭酸水素ナトリウム、炭酸水素カリウムでもよく、好ましくはリン酸カリウム、炭酸セシウムで、最も好ましくはリン酸カリウムである。
【０１２６】
溶媒は、DMSO、DMF、DMA、NMP、アセトニトリル、t-ブタノール、イソプロパノール、THF、1,4-ジオキサンでもよく、好ましくはDMSO、DMFで、最も好ましくはDMSOである。
【０１２７】
反応温度は50〜180℃、好ましくは100〜130℃である。
【０１２８】
カップリング試薬がほかのアンモニア源である場合、反応は以下の通りである。
【化５４】
0006732008.tif 000063
【０１２９】
ただし、各基の定義は前記の通りである。
【０１３０】
【化５５】
0006732008.tif 000064
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-、アリール基-NHC(O)-)、C2〜C10のアミド基(アルキル基-NHC(O)-)、-COOH、ヒドロキシ基-C1〜C10のアルキレン基、MeS-、スルフリル基、、スルホンアミド基からなる群から選ばれる置換基で置換されることをいう。
【０１３１】
前記のアンモニア源は、アンモニアガス、アンモニア水、塩化アンモニウム、炭酸アンモニウム、炭酸水素アンモニウム、硫酸アンモニウム、硝酸アンモニウム、リン酸アンモニウム、リン酸水素二アンモニウム、アジ化ナトリウム、好ましくはアンモニアガス、アンモニア水、塩化アンモニウムおよびリン酸水素二アンモニウムからなる群から選ばれる。
【０１３２】
銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCuIである。
【０１３３】
配位子は1（リガンド）で、上記のいずれかでもよく、好ましくはL-I-27、L-II-9、L-II-38、L-II-64、L-II-71、L-II-72で、最も好ましくはL-II-38またはL-II-71である。
【０１３４】
塩基は、炭酸カリウム、炭酸セシウム、リン酸カリウム、炭酸ナトリウム、炭酸水素ナトリウム、炭酸水素カリウムでもよく、好ましくは炭酸セシウム、リン酸カリウムで、最も好ましくはリン酸カリウムである。
【０１３５】
溶媒は、DMSO、DMF、DMA、NMP、アセトニトリル、t-ブタノール、イソプロパノール、THF、1,4-ジオキサンでもよく、好ましくはDMSO、DMFで、最も好ましくはDMSOである。
【０１３６】
反応温度は50〜180℃、好ましくは100〜130℃である。
【０１３７】
本発明の一つの好適な実施形態において、塩化アリールと窒素含有芳香族複素環のカップリング反応は、以下の通りである。
【化５６】
0006732008.tif 000065
【０１３８】
ただし、各基の定義は前記の通りである。
【０１３９】
【化５７】
0006732008.tif 000066
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいう。
【０１４０】
【化５８】
0006732008.tif 000067
は、置換または無置換のN原子を含有する3〜20員の環で、前記3〜20員の環は飽和または不飽和のものでもよい（好ましくはピロール、インドール、アゾール、ベンゾアゾールおよび相応する置換基を有する芳香族複素環からなる群から選ばれる）。
【０１４１】
上記反応過程において、銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCu2Oである。
【０１４２】
前記の配位子は特に制限されず、上記のいずれかの配位子でもよく、好ましくはL-II-82である。
【０１４３】
好適な塩基は、炭酸カリウム、炭酸セシウム、リン酸カリウム、炭酸ナトリウム、炭酸水素ナトリウム、炭酸水素カリウムでもよく、好ましくはリン酸カリウム、炭酸セシウムで、最も好ましくはリン酸カリウムである。
【０１４４】
溶媒は、DMSO、DMF、DMA、NMP、アセトニトリル、t-ブタノール、イソプロパノール、THF、1,4-ジオキサンでもよく、好ましくはDMSO、DMFで、最も好ましくはDMSOである。
【０１４５】
反応温度は50〜180℃、好ましくは100〜130℃である。
【０１４６】
本発明の一つの好適な実施形態において、塩化アリールとアミドのカップリング反応は、以下の通りである。
【化５９】
0006732008.tif 000068
【０１４７】
ただし、各基の定義は前記の通りである。
【０１４８】
【化６０】
0006732008.tif 000069
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいう。
【０１４９】
Rc、R2は、それぞれ独立にH、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
【０１５０】
あるいはRcとR2および隣接するC(O)NHとともに置換または無置換のC3〜C20のシクロアルキル基、置換または無置換の3〜20員の複素環基を構成する
【０１５１】
前記の置換とは、基における一つまたは複数の水素原子がハロゲン、C1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOHからなる群から選ばれる置換基で置換されることをいう。
【０１５２】
上記反応過程において、銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCu2Oである。
【０１５３】
前記の配位子は特に制限されず、上記のいずれかの配位子でもよく、好ましくはL-II-83、L-II-90である。
【０１５４】
好適な塩基は、炭酸カリウム、炭酸セシウム、リン酸カリウム、炭酸ナトリウム、炭酸水素ナトリウム、炭酸水素カリウムでもよく、好ましくはリン酸カリウム、炭酸セシウムで、最も好ましくはリン酸カリウムである。
【０１５５】
溶媒は、DMSO、DMF、DMA、NMP、アセトニトリル、t-ブタノール、イソプロパノール、THF、1,4-ジオキサンでもよく、好ましくはDMSO、DMFで、最も好ましくはDMSOである。
【０１５６】
反応温度は50〜180℃、好ましくは100〜130℃である。
【０１５７】
2．シュウ酸（モノ・ジ）アミド配位子によって促進される銅触媒による塩化アリールのC-Oカップリング反応
【化６１】
0006732008.tif 000070
【０１５８】
ただし、各基の定義は前記の通りである。
【０１５９】
【化６２】
0006732008.tif 000071
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいう。
【０１６０】
R1は、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
【０１６１】
前記の置換とは、基における一つまたは複数の水素原子がハロゲン、C1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、-CN、MeS-、スルフリル基、、スルホンアミド基からなる群から選ばれる置換基で置換されることをいう。
【０１６２】
銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCuIである。
【０１６３】
配位子は1に記載のいずれかで、好ましくはL-II-34である。
【０１６４】
塩基は、炭酸カリウム、炭酸セシウム、リン酸カリウム、炭酸ナトリウム、炭酸水素ナトリウム、炭酸水素カリウムでもよく、好ましくはリン酸カリウムである。
【０１６５】
溶媒は、DMSO、DMF、DMA、NMP、アセトニトリル、t-ブタノール、イソプロパノール、THF、1,4-ジオキサンでもよく、好ましくはDMSOである。
【０１６６】
反応温度は50〜180℃、好ましくは100〜130℃である。
【０１６７】
3．シュウ酸（モノ・ジ）アミド配位子によって促進される銅触媒による塩化アリールのC-Sカップリング反応
【化６３】
0006732008.tif 000072
【０１６８】
ただし、各基の定義は前記の通りである。 
【０１６９】
【化６４】
0006732008.tif 000073
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいう。
【０１７０】
R1は、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
【０１７１】
前記の置換とは、基における一つまたは複数の水素原子がハロゲン、C1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、-CN、MeS-、スルフリル基、、スルホンアミド基からなる群から選ばれる置換基で置換されることをいう。
【０１７２】
銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCuIである。
【０１７３】
配位子は1に記載のいずれかで、好ましくはL-II-34である。
【０１７４】
塩基は、炭酸カリウム、炭酸セシウム、リン酸カリウム、炭酸ナトリウム、炭酸水素ナトリウム、炭酸水素カリウムでもよく、好ましくはリン酸カリウムである。
【０１７５】
溶媒は、DMSO、DMF、DMA、NMP、アセトニトリル、t-ブタノール、イソプロパノール、THF、1,4-ジオキサンでもよく、好ましくはDMSOである。
【０１７６】
反応温度は50〜180℃、好ましくは100〜130℃である。
【０１７７】
4．シュウ酸（モノ・ジ）アミド配位子によって促進される銅触媒による塩化アリールのC-Sカップリング反応
【化６５】
0006732008.tif 000074
【０１７８】
ただし、各基の定義は前記の通りである。
【０１７９】
【化６６】
0006732008.tif 000075
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいう。
【０１８０】
R1は、置換または無置換のC1〜C6のアルキル基、置換または無置換のC6〜C20のアリール基、置換または無置換の3〜20員のヘテロアリール基、置換または無置換のC7〜C25のアルキル基-アリール基、置換または無置換のC1〜C5アルキル基-3〜20員のヘテロアリール基、置換または無置換のC3〜C20のシクロアルキル基、あるいは置換または無置換の3〜20員の複素環基からなる群から選ばれる。ここで、前記のヘテロアリール基または複素環基にN、OまたはSからなる群から選ばれるヘテロ原子が1〜5個含まれる。前記のシクロアルキル基または複素環基は単環、多環、スピロ環または橋架け環の構造でもよい。
【０１８１】
前記の置換とは、基における一つまたは複数の水素原子がハロゲン、C1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、-CN、MeS-、スルフリル基、、スルホンアミド基からなる群から選ばれる置換基で置換されることをいう。
【０１８２】
銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCuIである。
【０１８３】
配位子は1に記載のいずれかで、好ましくはL-II-3、L-II-37である。
【０１８４】
塩基は、炭酸カリウム、炭酸セシウム、リン酸カリウム、炭酸ナトリウム、炭酸水素ナトリウム、炭酸水素カリウムでもよく、好ましくはリン酸カリウムである。
【０１８５】
溶媒は、DMSO、DMF、DMA、NMP、アセトニトリル、t-ブタノール、イソプロパノール、THF、1,4-ジオキサンでもよく、好ましくはDMSOである。
【０１８６】
反応温度は50〜180℃、好ましくは100〜130℃である。
【０１８７】
5．シュウ酸（モノ・ジ）アミド配位子によって促進される銅触媒による塩化アリールのC-Oカップリング反応
【化６７】
0006732008.tif 000076
【０１８８】
ただし、各基の定義は前記の通りである。 
【０１８９】
【化６８】
0006732008.tif 000077
は、置換または無置換のC6〜C20のアリール基、置換または無置換の3〜20員のヘテロアリール基からなる群から選ばれる。ここで、前記の置換とは、アリール基における一つまたは複数の水素原子がハロゲン、ニトロ基、シアノ基、置換または無置換のアミノ基、ヒドロキシ基、無置換またはハロゲン置換のC1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、ヒドロキシ基-C1〜C10のアルキレン基、MeS-、スルフリル基、、スルホンアミド基からなる群から選ばれる置換基で置換されることをいう。
【０１９０】
前記の置換とは、基における一つまたは複数の水素原子がハロゲン、C1〜C6アルキル基、C1〜C6アルコキシ基、C6〜C10のアリール基、C6〜C10のアリール基-オキシ基、C2〜C10のエステル基(アルキル基-COO-)、C2〜C10のアシル基(アルキル基-CO-)、C2〜C10のアミド基(アルキル基-NHC(O)-、アリール基-NHC(O)-)、-COOH、-CN、MeS-、スルフリル基、、スルホンアミド基からなる群から選ばれる置換基で置換されることをいう。
【０１９１】
銅触媒は、CuI、CuBr、CuCl、CuTc、Cu(OAc)2、CuSO4、Cu2O、CuBr2、CuCl2、CuO、CuSCN、CuCN、Cu(acac)2でもよく、好ましくはCu(acac)2である。
【０１９２】
配位子は1に記載のいずれかで、好ましくはL-II-65、L-II-93である。
【０１９３】
塩基は、炭酸カリウム、炭酸セシウム、リン酸カリウム、炭酸ナトリウム、炭酸水素ナトリウム、炭酸水素カリウム、水酸化リチウム、水酸化ナトリウム、テトラブチルアンモニウムヒドロキシド、および/または当該塩基の水和物でもよく、好ましくは水酸化リチウムである。
【０１９４】
溶媒は、DMSO、DMF、DMA、NMP、アセトニトリル、t-ブタノール、イソプロパノール、THF、1,4-ジオキサン、b-ブタノール、および/または前記1種または複数の溶媒と水の混合物でもよく、好ましくはDMSO/H2Oである。
【０１９５】
反応温度は50〜180℃、好ましくは100〜130℃である。
【０１９６】
既存技術と比べ、本発明の主な利点は以下のものを含む。
【０１９７】
1．効率的に銅触媒による塩化アリールのカップリング反応を行うことができる触媒系を提供し、前記の触媒系は通常の臭化アリールとヨウ化アリールのカップリング系で行いにくい塩化アリールのカップリング反応が順調に進行するようにさせることができ、かつ基質の兼用性が良く、触媒系の適用範囲が幅広い。
【０１９８】
2．既存技術における塩化アリールのカップリング反応の方法と比べ、本発明の方法はコストの低い銅触媒系を使用し、かつ配位子は構造が簡単で、製造しやすく、使用量が少なく、反応は経済性がある。
【０１９９】
3．本発明の触媒系に使用される原料である塩化アリールはほかのハロゲン化アリールと比べ、原料はコストが低く、資源が豊富で、優れた大規模応用の将来性がある。
【０２００】
以下、具体的な実施例によって、さらに本発明を説明する。これらの実施例は本発明を説明するために用いられるものだけで、本発明の範囲の制限にはならないと理解されるものである。以下の実施例において、具体的な条件が記載されていない実験方法は、通常、通常の条件、あるいはメーカーの薦めの条件で行われた。特に断らない限り、％と部は、重量で計算される。
【０２０１】
実施例1、配位子の合成(L-I-27、L-II-9、L-II-31を例とする
方法i：
【化６９】
0006732008.tif 000078
2,4,6-トリメトキシアニリン(30 mmol)およびトリエチルアミン(36 mmol)を、2,4,6-トリメトキシアニリンの濃度が0.2 mol/Lになるように、150 mLのテトラヒドロフランに溶解させた。氷浴で冷却し、撹拌し、さらにクロログリオキシル酸メチル(33 mmol)を滴下し、反応系が混濁し、トリエチルアミン塩酸塩が生成した。滴下終了後、氷浴を外し、自然に室温に戻し、撹拌を1〜2時間続け、TLCでモニタリングして2,4,6-トリメトキシアニリンが完全に消耗したら、撹拌を止めて後処理を行った。
【０２０２】
ろ紙で反応液を減圧で吸引ろ過し、トリエチルアミン塩酸塩を除き、ケーキをさらに少量のテトラヒドロフランで洗浄した（トリエチルアミン塩酸塩が溶解するため、酢酸エチルは洗浄に使用することができない）。ろ液を減圧で濃縮させた後、残留物をシリカゲルカラムクロマトグラフィーによって精製し、溶離剤は石油エーテル：酢酸エチル=5：1で、7.48 gの淡黄色固体を得たが、収率は93％であった。
【０２０３】
シュウ酸モノアミドモノエチルエステルを製造する場合、クロログリオキシル酸メチルの代わりにクロログリオキシル酸エチルを使用した。
【０２０４】
1H NMR (400 MHz, CDCl3) δ 8.12 (s, 1H), 6.16 (s, 2H), 3.94 (s, 3H), 3.81 (s, 9H); 13C NMR (100 MHz, CDCl3) δ 161.49, 160.64, 156.07, 154.55, 105.72, 91.18, 56.10, 55.66, 53.73; HRMS (ESI) calcd. for C12H16NO6 (M + H)+: 270.0972, Found: 270.0973.
【０２０５】
方法ii：
【化７０】
0006732008.tif 000079
【０２０６】
上記で得られた2,4,6-トリメトキシアニリンのクロログリオキシル酸メチル(10 mmol)を、基質濃度が1.0 mol/Lになるように、10 mLのTHFに溶解させた。さらに1.3 mLのベンジルアミン(12 mmol)を入れ、撹拌し、70〜80℃に加熱し、1時間後TLCでモニタリングし、原料がなくなったら、加熱を中止し、静置し、反応フラスコを室温に自然冷却し、さらに冷蔵庫に入れて冷凍したら、白色固体が析出した。固体が完全に析出した後、ろ紙で減圧で吸引ろ過し、赤外線オーブンで乾燥し、さらにオイルポンプで吸引乾燥し、2.94 gの白色固体を得たが、収率は86％であった。
【０２０７】
ほかのアミドを製造する場合、ベンジルアミンの代わりにほかのアミン（たとえばメチルアミン水溶液、ジエチルアミンなど）を使用した。
【０２０８】
1H NMR (400 MHz, CDCl3) δ 3.80 (s, 6H), 3.81 (s, 3H), 4.53 (d, J = 6.4 Hz, 2H), 6.16 (s, 2H), 7.30-7.38 (m, 5H), 7.79 (br s, 1H), 8.51 (s, 1H); 13C NMR (100 MHz, CDCl3) δ 160.40, 159.95, 158.24, 156.03, 136.92, 128.80, 128.03, 127.83, 105.69, 90.96, 55.96, 55.53, 43.86; HRMS (ESI) calcd. for C18H21N2O5 (M + H)+: 345.1445, Found: 345.1444.
【０２０９】
方法II：
【化７１】
0006732008.tif 000080
【０２１０】
2-フェノキシアニリン(30 mmol)およびトリエチルアミン(31.5 mmol)を、2-フェノキシアニリンの濃度が0.3 mol/Lになるように、100 mLのテトラヒドロフランに溶解させた。氷浴で冷却し、撹拌し、さらに塩化オキサリル(15.8 mmol)を滴下し、反応系が混濁し、トリエチルアミン塩酸塩が生成した。滴下終了後、氷浴を外し、自然に室温に戻し、撹拌を2時間続け、TLCでモニタリングして2-フェノキシアニリンが完全に消耗したら、撹拌を止めて後処理を行った。
【０２１１】
強磁性棒で撹拌子を吸い出し、減圧でテトラヒドロフランを蒸発させ、残留物に50 mLの蒸留水を入れ、スクレーパーでフラスコ壁から固体を取り、全部蒸留水に浸漬させ、撹拌してスラリーにし、この時トリエチルアミン塩酸塩を全部水に溶解させ、ジアミド産物は溶解しなかった。ろ紙で減圧で吸引ろ過し、ケーキを少量の冷エチルエーテルで洗浄し、最後にケーキを擦り取り、赤外線オーブンで乾燥し、さらにオイルポンプで吸引乾燥し、5.45 gの白色固体を得たが、収率は86％であった。
【０２１２】
1H NMR (400 MHz, CDCl3) δ 9.96 (s, 2H), 8.46 (dd, J = 8.0, 1.7 Hz, 2H), 7.43 〜 7.30 (m, 4H), 7.22 〜 7.01 (m, 10H), 6.89 (dd, J = 8.0, 1.5 Hz, 2H); 13C NMR (100 MHz, CDCl3) δ 157.36, 156.06, 146.73, 129.97, 127.97, 125.40, 124.18, 123.75, 120.49, 119.02, 117.60; HRMS (ESI) calcd. for C26H21N2O4 (M + H)+: 425.1496, Found: 425.1492.
【０２１３】
ほかの配位子（新規な化合物）の合成：
【表３−１】
0006732008.tif 000081
【表３−２】
0006732008.tif 000082
【表３−３】
0006732008.tif 000083
【表３−４】
0006732008.tif 000084
【表３−５】
0006732008.tif 000085
【表３−６】
0006732008.tif 000086
【表３−７】
0006732008.tif 000087
【表３−８】
0006732008.tif 000088
【表３−９】
0006732008.tif 000089
【表３−１０】
0006732008.tif 000090
【表３−１１】
0006732008.tif 000091
【表３−１２】
0006732008.tif 000092
【０２１４】
以下の配位子は方法IIで製造した。
【表４】
0006732008.tif 000093
0006732008.tif 000094
0006732008.tif 000095
0006732008.tif 000096
【０２１５】
実施例2、p-メチルクロロベンゼンとベンジルアミンのカップリング反応によるN-p-メチルフェニルベンジルアミンの合成
【化７２】
0006732008.tif 000097
【０２１６】
10 mLの密封管にヨウ化第一銅(0.05 mmol)、配位子(0.1 mmol)、リン酸カリウム(1.0 mmol)を入れ、真空に吸引してアルゴンガスで3回置換し、さらにp-メチルクロロベンゼン(0.5 mmol)、ベンジルアミン(0.75 mmol)および1 mLのDMSOを入れ、120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィー(石油エーテル:酢酸エチル = 50:1)にかけ、製品である89 mgのN-p-メチルフェニルベンジルアミンを得たが、収率は91％であった。
【０２１７】
1H NMR (400 MHz, CDCl3) δ 7.34-7.21 (m, 5H), 6.96 (d, J = 8.0 Hz, 2H), 6.54 (d, J = 8.4 Hz, 2H), 4.28 (s, 2H), 3.88 (br s, 1H), 2.22 (s, 3H); 13C NMR (100 MHz, CDCl3) δ 20.6, 48.8, 113.2, 126.9, 127.3, 127.7, 128.8, 130.0, 139.8, 146.1; HRMS (ESI) calcd. for C14H16N (M + H)+: 198.1283, Found: 198.1287.
【０２１８】
実施例3、p-メチルクロロベンゼンとベンジルアミンのカップリング反応によるN-p-メチルフェニルベンジルアミンの合成
【０２１９】
本実施例の操作は実施例2と同様で、異なるシュウ酸アミド配位子を使用し、得られた結果を下記表に示した。
【表５】
0006732008.tif 000098
【０２２０】
実施例4、p-メチルクロロベンゼンとベンジルアミンのカップリング反応によるN-p-メチルフェニルベンジルアミンの合成
【化７３】
0006732008.tif 000099
【０２２１】
本実施例の操作は実施例2と同様で、異なる銅塩触媒、塩基、溶媒および温度を使用し、得られた結果を下記表に示した。
【表６】
0006732008.tif 000100
【０２２２】
実施例5、p-メチルクロロベンゼンと様々な第一級アミン、第二級アミンのカップリング反応による相応するアニリン誘導体の合成
【化７４】
0006732008.tif 000101
【０２２３】
10 mLの密封管にヨウ化第一銅(0.05 mmol)、配位子L-II-38(0.05または0.1 mmol)、リン酸カリウム(1.0 mmol)を入れ、真空に吸引してアルゴンガスで3回置換し、さらにp-メチルクロロベンゼン(1.0 mmol)、アミン(1.5 mmol)および1 mLのDMSOを入れ、120℃で反応させて均一に24または48時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、製品であるN-p-メチルフェニルアミンを得た。
【０２２４】
本実施例は、第一級、第二級脂肪族アミン、芳香族アミンを含む異なるアミンを使用し、反応条件はA、Bと2種類があり、反応活性の良いアミンに条件Aを、反応活性が比較的に弱いアミンに条件Bを使用し、得られた結果を下記表に示した。
【表７】
0006732008.tif 000102
0006732008.tif 000103
0006732008.tif 000104
0006732008.tif 000105
【０２２５】
実施例6、塩化アリールとベンジルアミンのカップリング反応によるN-ベンジルアニリン誘導体の合成
【化７５】
0006732008.tif 000106
【０２２６】
10 mLの密封管にヨウ化第一銅(0.05 mmol)、配位子L-II-38(0.05 mmol)、リン酸カリウム(1.0 mmol)を入れ、真空に吸引してアルゴンガスで3回置換し、さらに塩化芳香族炭化水素(1.0 mmol)、ベンジルアミン(1.5 mmol)および1 mLのDMSOを入れ、120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、製品であるN-ベンジル芳香族アミンを得た。
【０２２７】
本実施例は異なる塩化芳香族炭化水素を使用し、得られた結果を下記表に示した。
【表８】
0006732008.tif 000107
0006732008.tif 000108
0006732008.tif 000109
0006732008.tif 000110
0006732008.tif 000111
0006732008.tif 000112
【０２２８】
実施例7、置換芳香族アミンの合成(異なる塩化アリールと異なるアミン)
【化７６】
0006732008.tif 000113
【０２２９】
10 mLの密封管にヨウ化第一銅(0.05 mmol)、配位子L-II-38(0.05 mmol)、リン酸カリウム(1.0 mmol)を入れ、真空に吸引してアルゴンガスで3回置換し、さらに塩化芳香族炭化水素(1.0 mmol)、アミン(1.5 mmol)および1 mLのDMSOを入れ、120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、製品である置換芳香族アミンを得た。
【０２３０】
本実施例は異なる塩化芳香族炭化水素と異なるアミンを使用し、得られた結果を下記表に示した。
【表９】
0006732008.tif 000114
0006732008.tif 000115
【０２３１】
実施例8、p-アミノベンジルアルコールの合成
【化７７】
0006732008.tif 000116
【０２３２】
10 mLの密封管にp-クロロベンジルアルコール(0.5 mmol)、アンモニア源(0.75 mmol)、銅塩触媒(0.05 mmol)、配位子(0.05 mmol)、塩基(0.5 mmol)を入れ、真空に吸引してアルゴンガスで3回置換し、さらに0.5 mLの溶媒を入れ、110℃で反応させて均一に12時間撹拌し、冷却後シリカゲルおよび珪藻土のカートリッジでろ過し、ろ駅を濃縮した後カラムクロマトグラフィーにかけ、製品であるp-アミノベンジルアルコールを得た（淡黄色固体）。
【０２３３】
1H NMR (400 MHz, CDCl3) δ 7.11 (d, J = 8.3 Hz, 2H), 6.62 (d, J = 8.3 Hz, 2H), 4.49 (s, 2H), 3.22 (br s, 2H); 13C NMR (100 MHz, CDCl3) δ 145.9, 131.0, 128.7, 115.1, 65.1; LC-MS (ESI, m/z): 124.1 (M + H)+.
【０２３４】
本実施例は異なるアンモニア源、銅塩触媒、配位子、塩基および溶媒を使用し、得られた結果を下記表に示した。
【表１０−１】
0006732008.tif 000117
【表１０−２】
0006732008.tif 000118
【表１０−３】
0006732008.tif 000119
【０２３５】
実施例9、芳香族アミンの合成
【０２３６】
10 mLの密封管にヨウ化第一銅(0.05 mmol)、配位子L-II-71(0.05または0.1 mmol)、リン酸カリウム(1.1 mmol)を入れ、真空に吸引してアルゴンガスで3回置換し、さらに塩化芳香族炭化水素(1.0 mmol)、1 mLのDMSOおよびアンモニア水(2.0 mmol)を入れ、110℃または120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、製品である芳香族アミンを得た。
【０２３７】
本実施例は、異なる塩化芳香族炭化水素を使用し、反応条件はC、Dと2種類があり、反応活性の良い塩化芳香族炭化水素に条件Cを、反応活性が比較的に弱い塩化芳香族炭化水素に条件Dを使用し、得られた結果を下記表に示した。
【化７８】
0006732008.tif 000120
【０２３８】
【表１１−１】
0006732008.tif 000121
【表１１−２】
0006732008.tif 000122
【表１１−３】
0006732008.tif 000123
【表１１−４】
0006732008.tif 000124
【０２３９】
実施例10、4-メチルジフェニルエーテルの合成
【化７９】
0006732008.tif 000125
【０２４０】
10 mLの密封管にフェノール(1.5 mmol)、ヨウ化第一銅(0.1 mmol)、配位子L-II-31(0.1 mmol)、リン酸カリウム(1.5 mmol)を入れ、真空に吸引してアルゴンガスで3回置換し、さらにp-メチルクロロベンゼン(1.0 mmol)および1 mLのDMSOを入れ、120℃で反応させて均一に14時間撹拌し、冷却後酢酸エチルで密封管の内容物を洗浄し、かつシリカゲルおよび珪藻土のカートリッジでろ過し、ろ液を濃縮した後カラムクロマトグラフィーにかけ、製品である0.1105 gの4-メチルジフェニルエーテルを得たが、収率は60％であった。
【０２４１】
1H NMR (400 MHz, CDCl3) δ 7.40 〜 7.31 (m, 2H), 7.21 〜 7.15 (m, 2H), 7.14 〜 7.08 (m, 1H), 7.06 〜 7.01 (m, 2H), 7.00 〜 6.93 (m, 2H), 2.38 (s, 3H); 13C NMR (100 MHz, CDCl3) δ 158.02, 154.91, 133.06, 130.45, 129.83, 122.98, 119.32, 118.53, 20.89
【０２４２】
実施例11、4-メチルジフェニルエーテルの合成
【化８０】
0006732008.tif 000126
【０２４３】
本実施例の操作は実施例2と同様で、異なる配位子、銅塩触媒、塩基、溶媒および温度を使用し、得られた結果を下記表に示した。
【０２４４】
【表１２】
0006732008.tif 000127
0006732008.tif 000128
【０２４５】
実施例12、p-メチルクロロベンゼンとフェノールの反応でジアリールエーテルを合成する反応
【化８１】
0006732008.tif 000129
【０２４６】
10 mLの密封管にフェノール(1.2 mmol)、ヨウ化第一銅(0.05 mmol)、配位子L-II-34(0.1 mmol)、リン酸カリウム(2.0 mmol)を入れ、真空に吸引してアルゴンガスで3回置換し、さらにp-メチルクロロベンゼン(1.0 mmol)および1 mLのDMSOを入れ、120℃で反応させて均一に24時間撹拌し、冷却後酢酸エチルで密封管の内容物を洗浄し、かつシリカゲルおよび珪藻土のカートリッジでろ過し、ろ液を濃縮した後カラムクロマトグラフィーにかけ、産物であるジアリールエーテルを得た。得られた結果を下記表に示す。
【表１３】
0006732008.tif 000130
0006732008.tif 000131
0006732008.tif 000132
【０２４７】
実施例13、塩化アリールとR1OHのカップリング反応によるジアリールエーテルとアリールアルキルエーテルの合成
【化８２】
0006732008.tif 000133
【０２４８】
10 mLの密封管に基質であるハロゲン化芳香族炭化水素(1.0 mmol)、フェノール(1.2 mmol)、ヨウ化第一銅(0.05 mmol)、配位子L-II-34(0.1 mmol)、リン酸カリウム(2.0 mmol)を入れ、真空に吸引してアルゴンガスで3回置換した後1 mLのDMSOを入れ、120℃で反応させて均一に30時間撹拌し、冷却後酢酸エチルで密封管の内容物を洗浄し、かつシリカゲルおよび珪藻土のカートリッジでろ過し、ろ液を濃縮した後カラムクロマトグラフィーにかけ、産物であるジアリールエーテルを得た。得られた結果を下記表に示す。
【０２４９】
【表１４】
0006732008.tif 000134
0006732008.tif 000135
0006732008.tif 000136
0006732008.tif 000137
【０２５０】
実施例14、4,4'-ジメチルジフェニルエーテルスルフィドの合成
【化８３】
0006732008.tif 000138
【０２５１】
10 mLの密封管に4-メチルチオフェノール(1.5 mmol)、ヨウ化第一銅(0.1 mmol)、配位子L-II-34(0.1 mmol)、リン酸カリウム(1.5 mmol)を入れ、真空に吸引してアルゴンガスで3回置換し、さらにp-メチルクロロベンゼン(1.0 mmol)および1 mLのDMSOを入れ、120℃で反応させて均一に14時間撹拌し、冷却後酢酸エチルで密封管の内容物を洗浄し、かつシリカゲルおよび珪藻土のカートリッジでろ過し、ろ液を濃縮した後カラムクロマトグラフィーにかけ、製品である36.4 mgの4,4’-ジメチルジフェニルスルフィドを得たが、収率は17％であった。
【０２５２】
1H NMR (400 MHz, CDCl3) δ 2.32 (s, 6H), 7.10 (d, J = 7.8 Hz, 2H), 7.22〜7.25 (m, 4H); 13C NMR (100 MHz, CDCl3) δ21.2, 130.0, 131.2, 132.8, 137.0.
【０２５３】
実施例15、臭化/ヨウ化芳香族炭化水素とアミンの反応による芳香族アミンの合成
【化８４】
0006732008.tif 000139
【０２５４】
10 mLの密封管に基質である臭化/ヨウ化芳香族炭化水素(1.0 mmol)、アミン(1.2 mmol)、ヨウ化第一銅(0.05 mmol)、配位子L-II-38(0.05 mmol)、リン酸カリウム(1.0 mmol)を入れ、真空に吸引してアルゴンガスで3回置換した後1 mLのDMSOを入れ、20〜70℃で反応させて均一に5〜10時間撹拌し、冷却後酢酸エチルで密封管の内容物を洗浄し、かつシリカゲルおよび珪藻土のカートリッジでろ過し、ろ液を濃縮した後カラムクロマトグラフィーにかけ、産物である芳香族アミンを得た。得られた結果を下記表に示す。
【０２５５】
【表１５】
0006732008.tif 000140
【０２５６】
実施例16、臭化芳香族炭化水素とフェノールの反応によるジアリールエーテルの合成
【化８５】
0006732008.tif 000141
【０２５７】
10 mLの密封管に基質であるハロゲン化芳香族炭化水素(1.0 mmol)、フェノール(1.2 mmol)、ヨウ化第一銅(0.05 mmol)、配位子L-II-37(0.05 mmol)、リン酸カリウム(2.0 mmol)を入れ、真空に吸引してアルゴンガスで3回置換した後1 mLのDMSOを入れ、80℃で反応させて均一に12時間撹拌し、冷却後酢酸エチルで密封管の内容物を洗浄し、かつシリカゲルおよび珪藻土のカートリッジでろ過し、ろ液を濃縮した後カラムクロマトグラフィーにかけ、産物であるジアリールエーテルを得た。得られた結果を下記表に示す。
【０２５８】
【表１６】
0006732008.tif 000142
0006732008.tif 000143
0006732008.tif 000144
【０２５９】
実施例17、p-メトキシクロロベンゼンとピロールのカップリング反応によるN-p-メトキシフェニルピロールの合成
【化８６】
0006732008.tif 000145
【０２６０】
10 mLの密封管にヨウ化第一銅(0.1 mmol)、配位子(0.1 mmol)、リン酸カリウム(2.0 mmol)を入れ、真空に吸引してアルゴンガスで3回置換し、さらにp-メトキシクロロベンゼン(1.0 mmol)、ピロール(1.3 mmol)および0.5 mLのDMSOを入れ、120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィー(石油エーテル:酢酸エチル = 50:1)にかけ、製品である88 mgのN-p-メトキシフェニルピロールを得たが、収率は51％であった。
【０２６１】
1H NMR (400 MHz, CDCl3): δ 7.29-7.33 (m, 2H), 6.98-7.01 (m, 2H),6.90-6.96 (m, 2H), 6.32 (t, J = 2.0 Hz, 2H), 3.83 (s, 3H). GC-MS (EI): m/z = 173 [M]+.
【０２６２】
実施例18、p-メトキシクロロベンゼンとピロールのカップリング反応によるN-p-メトキシフェニルピロールの合成
【０２６３】
本実施例の操作は実施例1と同様で、異なるシュウ酸アミド配位子（補充）を使用し、実験結果を下記表に示した。
【０２６４】
【表１７】
0006732008.tif 000146
【０２６５】
実施例19、N-アリール複素環の合成
10 mLの密封管にヨウ化第一銅(0.1 mmol)、配位子(0.1 mmol)、リン酸カリウム(2.0mmol)を入れ、真空に吸引してアルゴンガスで3回置換し、さらにp-メトキシクロロベンゼン(1.0 mmol)、アザアリール化合物(1.3 mmol)および0.5 mLのDMSOを入れ、120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、N-アリール複素環化合物を得た。
【０２６６】
本実施例は異なるアザ芳香族環を使用し、得られた結果を下記表に示した。
【化８７】
0006732008.tif 000147
【０２６７】
【表１８】
0006732008.tif 000148
【０２６８】
実施例20、p-メトキシクロロベンゼンとベンズアミドのカップリング反応によるN-p-メトキシフェニルベンズアミドの合成
【化８８】
0006732008.tif 000149
【０２６９】
10 mLの密封管にヨウ化第一銅(0.1 mmol)、配位子L-II-83(0.1 mmol)、リン酸カリウム(1.5mmol)を入れ、真空に吸引してアルゴンガスで3回置換し、さらにp-メトキシクロロベンゼン(1.0 mmol)、ベンズアミド(1.3 mmol)および0.5 mLのDMSOを入れ、120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィー(石油エーテル:酢酸エチル = 2:1)にかけ、製品である127 mgのN-p-メトキシフェニルベンズアミドを得たが、収率は56％であった。
【０２７０】
1H NMR (400 MHz, CDCl3): δ 7.85 (d, J=7.2 Hz, 3H), 7.55-7.51 (m, 3H), 7.46 (t, J=7.6 Hz, 2H), 6.90 (d, J=8.8 Hz, 2H), 3.81 (s, 3H). LC-MS (ESI, m/z): 228.1 (M + H)+.
【０２７１】
実施例21、p-メトキシクロロベンゼンとベンズアミドのカップリング反応によるN-p-メトキシフェニルベンズアミドの合成
【０２７２】
本実施例の操作は実施例20と同様で、異なるシュウ酸ジアミド配位子を使用し、実験結果を下記表に示した。
【０２７３】
【表１９】
0006732008.tif 000150
【０２７４】
実施例22、p-メトキシクロロベンゼンとベンズアミドのカップリング反応によるN-p-メトキシフェニルベンズアミドの合成
【化８９】
0006732008.tif 000151
【０２７５】
本実施例の操作は実施例20と同様で、異なる銅塩触媒、塩基、溶媒および温度を使用し、得られた結果を下記表に示した。
【０２７６】
【表２０】
0006732008.tif 000152
【０２７７】
実施例23、N-アリールベンズアミドの合成
10 mLの密封管にヨウ化第一銅(0.1 mmol)、配位子(0.1 mmol)、リン酸カリウム(1.5mmol)を入れ、真空に吸引してアルゴンガスで3回置換し、さらにp-メトキシクロロベンゼン(1.0 mmol)、アミド(1.3 mmol)および0.5 mLのDMSOを入れ、120℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、N-アリールアミドを得た。
【０２７８】
本実施例は異なるクロロベンゼンとアミドを使用し、得られた結果を下記表に示した。
【化９０】
0006732008.tif 000153
【０２７９】
【表２１】
0006732008.tif 000154
【０２８０】
実施例24、p-クロロアニソールとアリールスルフィン酸ナトリウムのカップリング
【化９１】
0006732008.tif 000155
【０２８１】
10 mLの密封管にメチルスルフィン酸ナトリウム(0.6 mmol)、ヨウ化第一銅(0.05 mmol)、配位子(0.1 mmol)、リン酸カリウム(1.5 mmol)を入れ、真空に吸引してアルゴンガスで3回置換し、さらにp-クロロアニソール(0.5 mmol)および1 mLのDMSOを入れ、120℃で反応させて均一に24時間撹拌し、冷却後酢酸エチルで密封管の内容物を洗浄し、かつシリカゲルおよび珪藻土のカートリッジでろ過し、ろ液を濃縮した後カラムクロマトグラフィーにかけ、製品を得た。
【０２８２】
4-メトキシメタンスルホニルベンゼン： 1H NMR (400 MHz, CDCl3) δ 3.05 (s, 3H), 3.90 (s, 3H), 7.04 (dd, J = 7.5, 2.1 Hz, 2H), 7.88 (dd, J = 7.5, 2.1 Hz, 2H); EI-MS (m/z) 186 (M+)
【０２８３】
4-メトキシベンゼンスルホニルベンゼン： 1H NMR (400 MHz, CDCl3) δ 3.84 (s, 3H), 6.96 (m, 2H), 7.51 (m, 3H), 7.90 (m, 4H); EI-MS (m/z) 248 (M+).
【０２８４】
異なる配位子を使用して得られた結果を下記表に示す。
【表２２】
0006732008.tif 000156
【０２８５】
実施例25、銅触媒によるp-メトキシクロロベンゼンからのp-メトキシフェノールの合成
【化９２】
0006732008.tif 000157
【０２８６】
10 mLの密封管に銅アセチルアセトナート(Cu(acac)2)(0.025 mmol)、配位子L-II-93(0.025 mmol)、水酸化リチウム一水和物(1.05 mmol)を入れ、真空に吸引してアルゴンガスで3回置換し、アルゴン雰囲気で順にp-メトキシクロロベンゼン(0.5 mmol)、0.8 mLのDMSOおよび0.2 mlのH2Oを入れ、130℃で反応させて均一に24時間撹拌し、冷却後2 mlの1 mol/L塩酸、水および酢酸エチルを入れ、分液し、水相を酢酸エチルで2回抽出し、有機層を合併し、無水硫酸ナトリウムで乾燥し、濃縮後カラムクロマトグラフィー(ジクロロメタン:メタノール = 60:1)にかけ、製品である46 mgのp-メトキシフェノールを得たが、収率は74％であった。
【０２８７】
1H NMR (400 MHz, CDCl3) δ 6.79-6.61 (m, 4H), 4.96 (br s, 1H), 3.69 (s, 3H); 13C NMR (100 MHz, CDCl3) δ 55.9, 114.9, 116.1, 149.6, 153.7; ESI-MS: 125.1 (M+H)+
【０２８８】
実施例26、銅触媒によるp-メトキシクロロベンゼンからのp-メトキシフェノールの合成
【０２８９】
本実施例の操作は実施例25と同様で、異なるシュウ酸ジアミド配位子を使用し、得られた結果を下記表に示した。
【０２９０】
【表２３】
0006732008.tif 000158
【０２９１】
実施例27、銅触媒によるp-メトキシクロロベンゼンからのp-メトキシフェノールの合成
本実施例の操作は実施例25と同様で、配位子としてL-II-93を使用し、異なる銅塩触媒、塩基、溶媒を使用し、得られた結果を下記表に示した。
【０２９２】
【表２４】
0006732008.tif 000159
【０２９３】
実施例28、銅触媒による塩化アリールからの置換フェノールの合成
【化９３】
0006732008.tif 000160
【０２９４】
10 mLの密封管に銅アセチルアセトナート(Cu(acac)2)(0.025 mmol)、配位子L-II-93(0.025 mmol)、水酸化リチウム一水和物(1.05 mmol)を入れ、真空に吸引してアルゴンガスで3回置換し、アルゴン雰囲気で順に塩化アリール(0.5 mmol)、0.8 mLのDMSOおよび0.2 mlのH2Oを入れ、130℃で反応させて均一に24時間撹拌し、冷却後2 mlの1 mol/L塩酸、水および酢酸エチルを入れ、分液し、水相を酢酸エチルで2回抽出し、有機層を合併し、無水硫酸ナトリウムで乾燥し、濃縮後カラムクロマトグラフィーにかけ、製品である置換フェノールを得た。
【０２９５】
【表２５】
0006732008.tif 000161
【０２９６】
実施例28、銅触媒によるヨウ化/臭化アリールからの置換フェノールの合成
【化９４】
0006732008.tif 000162
【０２９７】
10 mLの密封管に銅アセチルアセトナート(Cu(acac)2)(0.1 mmol)、配位子L-II-65(0.1 mmol)、水酸化リチウム一水和物(4.2 mmol)を入れ、真空に吸引してアルゴンガスで3回置換し、アルゴン雰囲気で順にp-メトキシヨードベンゼンまたはp-メトキシブロモベンゼン(2 mmol)、1.6 mLのDMSOおよび0.4 mlのH2Oを入れ、80℃で反応させて均一に12時間撹拌し、冷却後6 mLの1 mol/L塩酸、水および酢酸エチルを入れ、分液し、水相を酢酸エチルで2回抽出し、有機層を合併し、無水硫酸ナトリウムで乾燥し、濃縮後カラムクロマトグラフィーにかけ、製品であるp-メトキシフェノールを得た（ヨウ化物収率95％、臭化物収率93％）。
【０２９８】
実施例29、p-ブロモアニソールとベンジルアミンのカップリング反応
【化９５】
0006732008.tif 000163
【０２９９】
10 mLの密封管に銅触媒(0.01 mmol)、配位子(0.01 mmol)、塩基(1.5 mmol)を入れ、真空に吸引してアルゴンガスで3回置換し、さらにp-ブロモアニソール(1.0 mmol)、ベンジルアミド(1.5 mmol)および1 mLの溶媒を入れ、80℃で反応させて均一に12時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、製品であるN-p-メトキシフェニルベンジルアミドを得た。
【０３００】
得られた結果を下記表に示す。
【表２６】
0006732008.tif 000164
【０３０１】
実施例30、p-メトキシブロモベンゼンとほかのカップリング試薬のカップリング反応
【化９６】
0006732008.tif 000165
【０３０２】
10 mLの密封管に銅触媒(0.1 mmol)、配位子(0.1 mmol)、リン酸カリウム(2.0 mmol)を入れ、真空に吸引してアルゴンガスで3回置換し、さらに臭化芳香族炭化水素(1.0 mmol)、1 mLのDMSOおよびカップリング試薬(2.0 mmol)を入れ、90℃で反応させて均一に24時間撹拌し、冷却後水および酢酸エチルを入れ、分液し、水相を酢酸エチルで2回抽出し、有機層を合併し、無水硫酸ナトリウムで乾燥し、濃縮後カラムクロマトグラフィーにかけ、相応するカップリング産物を得た。実験結果は以下の通りである。
【０３０３】
【表２７】
0006732008.tif 000166
【０３０４】
各文献がそれぞれ単独に引用されるように、本発明に係るすべての文献は本出願で参考として引用する。また、本発明の上記の内容を読み終わった後、この分野の技術者が本発明を各種の変動や修正をすることができるが、それらの等価の様態のものは本発明の請求の範囲に含まれることが理解されるはずである。